(57)【特許請求の範囲】
【請求項１】
サブフレーム分割構成を第１の基地局において記憶することと、ここにおいて、前記サブフレーム分割構成は、準静的リソースまたは動的リソースのうちの１つとして構成される第１のダウンリンク（ＤＬ）リソースのインターレース割り当てを含み、前記準静的リソース割り当ては、前記第１の基地局および前記第１の基地局に関連するユーザ機器（ＵＥ）の両方の物理レイヤ制御手順に対して使用され、動的リソース割り当ては、前記第１の基地局の前記物理レイヤ制御手順に対して使用される、
前記第１のＤＬリソース割り当てに従う第１の信号を前記第１の基地局から送信することと、
を備え、
ここにおいて、前記第１のＤＬリソースは、第２の基地局に割り当てられた第２のＤＬリソースへの時分割直交であり、
ここにおいて、前記第１の基地局の基地局タイプは、第１の電力クラスマクロセル基地局、第２の電力クラスマクロセル基地局、フェムトセル基地局またはピコセル基地局のうちの１つであり、
前記第１の基地局の前記基地局タイプは、前記第２の基地局の基地局タイプとは異なる、ワイヤレス信号送信のための方法。
【請求項２】
第２のＤＬリソース割り当てに従う第２の信号を前記第１の基地局から送信することをさらに備え、ここにおいて、前記第２のＤＬリソースが、準静的リソースまたは動的リソースのうちの１つとして前記サブフレーム分割構成によって割り当てられる、請求項１に記載の方法。
【請求項３】
前記第１のＤＬリソースは準静的リソースであり、前記第２のＤＬリソースは動的リソースである、請求項２に記載の方法。
【請求項４】
前記第１のＤＬリソースと前記第２のＤＬリソースとが、時分割多重化される、請求項２に記載の方法。
【請求項５】
前記第２のＤＬリソースが、準静的リソースまたは動的リソースのうちの１つとして前記サブフレーム分割構成によって割り当てられる、請求項１に記載の方法。
【請求項６】
前記サブフレーム分割構成は、少なくとも１つの未割り当てのリソースの割り当てをさらに含む、請求項１に記載の方法。
【請求項７】
サブフレーム・リソース割り当てを、前記第２の基地局と連携してネゴシエーションすることと、
前記ネゴシエーションに基づいて前記サブフレーム分割構成を決定することと、
をさらに備える、請求項１に記載の方法。
【請求項８】
前記第１の基地局が、インターレース・サブフレーム分割を求める、コア・ネットワークへの要求を送信することと、
前記サブフレーム分割構成を受信することと、
をさらに備える、請求項１に記載の方法。
【請求項９】
前記サブフレーム分割構成が、前記第２の基地局に関連する情報に少なくとも部分的に基づいて前記コア・ネットワークにおいて決定される、請求項８に記載の方法。
【請求項１０】
準静的サブフレームの間に、共通基準信号（ＣＲＳ）の基準信号受信品質（ＲＳＲＱ）または基準信号受信電力（ＲＳＲＰ）のうちの少なくとも１つを測定する信号測定基準を、前記第１の基地局に関連する前記ＵＥから受信することをさらに備える、請求項１に記載の方法。
【請求項１１】
前記受信された信号測定基準に合致する通信システムリソースを割り当てることをさらに備える、請求項１０に記載の方法。
【請求項１２】
前記準静的サブフレームが、前記送信することに先立って前記ＵＥにシグナリングされる、請求項１０に記載の方法。
【請求項１３】
第１の基地局のコンピュータに、
サブフレーム分割構成を第１の基地局において記憶させるためのコードと、ここにおいて、前記サブフレーム分割構成は、準静的リソースまたは動的リソースのうちの１つとして構成される第１のダウンリンク（ＤＬ）リソースのインターレース割り当てを含み、前記準静的リソース割り当ては、前記第１の基地局および前記第１の基地局に関連するユーザ機器（ＵＥ）の両方の物理レイヤ制御手順に対して使用され、動的リソース割り当ては、前記第１の基地局の前記物理レイヤ制御手順に対して使用される、
前記第１のＤＬリソース割り当てに従う第１の信号を前記第１の基地局から送信させるためのコードと
を備えるプログラムであって、
ここにおいて、前記第１のＤＬリソースは、第２の基地局に割り当てられた第２のＤＬリソースへの時分割直交であり、
ここにおいて、前記第１の基地局の基地局タイプは、第１の電力クラスマクロセル基地局、第２の電力クラスマクロセル基地局、フェムトセル基地局またはピコセル基地局のうちの１つであり、
前記第１の基地局の前記基地局タイプは、前記第２の基地局の基地局タイプとは異なる、プログラムを記憶する、コンピュータ可読記憶媒体。
【請求項１４】
前記コンピュータに、第２のＤＬリソース割り当てに従う第２の信号を前記第１の基地局から送信させるためのコードをさらに備え、ここにおいて、前記第２のＤＬリソースが、準静的リソースまたは動的リソースのうちの１つとして前記サブフレーム分割構成によって割り当てられる、請求項１３に記載のコンピュータ可読記憶媒体。
【請求項１５】
前記第１のＤＬリソースは準静的リソースであり、前記第２のＤＬリソースは動的リソースである、請求項１４に記載のコンピュータ可読記憶媒体。
【請求項１６】
前記第２のＤＬリソースが、準静的リソースまたは動的リソースのうちの１つとして前記サブフレーム分割構成によって割り当てられる、請求項１３に記載のコンピュータ可読記憶媒体。
【請求項１７】
前記コンピュータに、サブフレーム・リソース割り当てを、前記第２の基地局と連携してネゴシエーションさせ、前記ネゴシエーションに基づいて前記サブフレーム分割構成を決定させるためのコードをさらに備える、請求項１３に記載のコンピュータ可読記憶媒体。
【請求項１８】
インターレース・サブフレーム分割を求める、コア・ネットワークへの要求を送信し、前記サブフレーム分割構成を受信するためのコードをさらに備える、請求項１３に記載のコンピュータ可読記憶媒体。
【請求項１９】
前記コンピュータに、準静的サブフレームの間に、共通基準信号（ＣＲＳ）の基準信号受信品質（ＲＳＲＱ）または基準信号受信電力（ＲＳＲＰ）のうちの少なくとも１つを測定する信号測定基準を、前記第１の基地局に関連する前記ＵＥから受信させるためのコードをさらに備える、請求項１３に記載のコンピュータ可読記憶媒体。
【請求項２０】
前記コンピュータに、前記受信された信号測定基準に合致する通信システムリソースを割り当てさせるためのコードをさらに備える、請求項１９に記載のコンピュータ可読記憶媒体。
【請求項２１】
サブフレーム分割構成を第１の基地局において記憶するように構成されたメモリと、ここにおいて、前記サブフレーム分割構成は、準静的リソースまたは動的リソースのうちの１つとして構成される第１のダウンリンク（ＤＬ）リソースのインターレース割り当てを含み、前記準静的リソース割り当ては、前記第１の基地局および前記第１の基地局に関連するユーザ機器（ＵＥ）の両方の物理レイヤ制御手順に対して使用され、動的リソース割り当ては、前記第１の基地局の前記物理レイヤ制御手順に対して使用される、
前記第１のＤＬリソース割り当てに従う第１の信号を前記第１の基地局から送信するように構成された送信機モジュールと、
ここにおいて、前記第１のＤＬリソースは、第２の基地局に割り当てられた第２のＤＬリソースへの時分割直交であり、
ここにおいて、前記第１の基地局の基地局タイプは、第１の電力クラスマクロセル基地局、第２の電力クラスマクロセル基地局、フェムトセル基地局またはピコセル基地局のうちの１つであり、
前記第１の基地局の前記基地局タイプは、前記第２の基地局の基地局タイプとは異なる、
を備える、通信デバイス。
【請求項２２】
前記送信機モジュールは、第２のＤＬリソース割り当てに従う第２の信号を前記第１の基地局から送信するようにさらに構成され、ここにおいて、前記第２のＤＬリソースが、準静的リソースまたは動的リソースのうちの１つとして前記サブフレーム分割構成によって割り当てられる、請求項２１に記載の通信デバイス。
【請求項２３】
前記第１のＤＬリソースは準静的リソースであり、前記第２のＤＬリソースは動的リソースである、請求項２２に記載の通信デバイス。
【請求項２４】
前記第２のＤＬリソースが、準静的リソースまたは動的リソースのうちの１つとして前記サブフレーム分割構成によって割り当てられる、請求項２１に記載の通信デバイス。
【請求項２５】
サブフレーム・リソース割り当てを、第２の基地局と連携してネゴシエーションし、前記ネゴシエーションに基づいて前記サブフレーム分割構成を決定するように構成されたプロセッサ・モジュールをさらに含む、請求項２１に記載の通信デバイス。
【請求項２６】
インターレース・サブフレーム分割を求める、コア・ネットワークへの要求を生成し、前記要求を送信するように構成されたプロセッサ・モジュールと、前記サブフレーム分割構成を受信するように構成された受信機モジュールとをさらに含む、請求項２１に記載の通信デバイス。
【請求項２７】
準静的サブフレームの間に、共通基準信号（ＣＲＳ）の基準信号受信品質（ＲＳＲＱ）または基準信号受信電力（ＲＳＲＰ）のうちの少なくとも１つを測定する信号測定基準を、前記第１の基地局に関連する前記ＵＥから受信するように構成された受信機モジュールをさらに含む、請求項２１に記載の通信デバイス。
【請求項２８】
前記受信された信号測定基準に合致する通信システムリソースを割り当てるように構成されたプロセッサ・モジュールをさらに含む、請求項２７に記載の通信デバイス。
【請求項２９】
第１の基地局への第１のダウンリンク（ＤＬ）リソースの所定のサブフレーム・リソースのインターレース割り当てに関する情報をＵＥにおいて受信することと、ここにおいて、前記第１のＤＬリソースは、準静的リソースまたは動的リソースのうちの１つとして構成され、準静的リソース割り当ては、前記ＵＥおよび前記第１の基地局の両方の物理レイヤ制御手順に対して使用され、動的リソース割り当ては、前記第１の基地局の前記物理レイヤ制御手順に対して使用される、
前記リソースのインターレース割り当てに関連する準静的な時間間隔の間に、前記ＵＥによって共通基準信号（ＣＲＳ）を受信することと、
前記ＵＥにおいて、前記準静的な時間間隔の間に、前記ＣＲＳの基準信号受信品質（ＲＳＲＱ）または基準信号受信電力（ＲＳＲＰ）のうちの少なくとも１つを測定する信号測定基準を決定することと、
を備え、
ここにおいて、前記第１のＤＬリソースは、第２の基地局に割り当てられた第２のＤＬリソースへの時分割直交であり、
ここにおいて、前記第１の基地局の基地局タイプは、第１の電力クラスマクロセル基地局、第２の電力クラスマクロセル基地局、フェムトセル基地局またはピコセル基地局のうちの１つであり、
前記第１の基地局の前記基地局タイプは、前記第２の基地局の基地局タイプとは異なる、ワイヤレス通信のための方法。
【請求項３０】
前記信号測定基準に基づいて無線リンク障害（ＲＬＦ）を宣言するかを決定することを更に備える、請求項２９に記載の方法。
【請求項３１】
前記信号測定基準を前記第１の基地局に送信することをさらに備える、請求項２９に記載の方法。
【請求項３２】
前記信号測定基準を前記第１の基地局に送信することをさらに備え、前記第１の基地局が、第１のセルに関連付けられ、前記ＣＲＳが、第２のセルに関連するノードから送信される、請求項２９に記載の方法。
【請求項３３】
前記第１のセルはマクロセルであり、前記第２のセルはピコセルまたはフェムトセルである、請求項３２に記載の方法。
【請求項３４】
前記第１のセルはピコセルまたはフェムトセルであり、前記第２のセルはマクロセルである、請求項３２に記載の方法。
【請求項３５】
前記時間間隔は、準静的リソース割り当ての一部であり、
前記準静的リソース割り当ては、前記第１の基地局および前記第１の基地局に関連するユーザ機器（ＵＥ）の両方の物理レイヤ制御手順に対して使用され、動的リソース割り当ては、前記第１の基地局の前記物理レイヤ制御手順に対して使用される、請求項２９に記載の方法。
【請求項３６】
コンピュータに、
第１の基地局への第１のダウンリンク（ＤＬ）リソースの所定のサブフレーム・リソースのインターレース割り当てに関する情報をＵＥにおいて受信させ、ここにおいて、前記第１のＤＬリソースは、準静的リソースまたは動的リソースのうちの１つとして構成され、準静的リソース割り当ては、前記ＵＥおよび前記第１の基地局の両方の物理レイヤ制御手順に対して使用され動的リソース割り当ては、前記第１の基地局の前記物理レイヤ制御手順に対して使用される、
前記リソースのインターレース割り当てに関連する準静的な時間間隔の間に、前記ＵＥによって共通基準信号（ＣＲＳ）を受信させ、
前記ＵＥにおいて、前記準静的な時間間隔の間に、前記ＣＲＳの基準信号受信品質（ＲＳＲＱ）または基準信号受信電力（ＲＳＲＰ）のうちの少なくとも１つを測定する信号測定基準を決定させる
コードを備え、
ここにおいて、前記第１のＤＬリソースは、第２の基地局に割り当てられた第２のＤＬリソースへの時分割直交であり、
ここにおいて、前記第１の基地局の基地局タイプは、第１の電力クラスマクロセル基地局、第２の電力クラスマクロセル基地局、フェムトセル基地局またはピコセル基地局のうちの１つであり、
前記第１の基地局の前記基地局タイプは、前記第２の基地局の基地局タイプとは異なる、コンピュータ可読記憶媒体。
【請求項３７】
前記コンピュータ可読記憶媒体は、コンピュータに対して、前記信号測定基準に基づいて無線リンク障害（ＲＬＦ）を宣言するかを決定させるコードを更に備える、請求項３６に記載のコンピュータ可読記憶媒体。
【請求項３８】
前記コンピュータ可読記憶媒体は、コンピュータに対して、前記信号測定基準を前記第１の基地局に送信させるコードを更に含む、請求項３６に記載のコンピュータ可読記憶媒体。
【請求項３９】
前記第１の基地局が、第１のセルに関連付けられ、前記ＣＲＳが、第２のセルに関連するノードから送信される、請求項３６に記載のコンピュータ可読記憶媒体。
【請求項４０】
第１の基地局への第１のダウンリンク（ＤＬ）リソースの所定のサブフレーム・リソースのインターレース割り当てに関する情報をＵＥにおいて受信し、ここにおいて、前記第１のＤＬリソースは、準静的リソースまたは動的リソースのうちの１つとして構成され、準静的リソース割り当ては、前記ＵＥおよび前記第１の基地局の両方の物理レイヤ制御手順に対して使用され、動的リソース割り当ては、前記第１の基地局の前記物理レイヤ制御手順に対して使用される、
前記リソースのインターレース割り当てに関連する準静的な時間間隔の間に、前記ＵＥによって共通基準信号（ＣＲＳ）を受信する
ように構成された受信機モジュールと、
前記ＵＥにおいて、前記準静的な時間間隔の間に、前記ＣＲＳの基準信号受信品質（ＲＳＲＱ）または基準信号受信電力（ＲＳＲＰ）のうちの少なくとも１つを測定する信号測定基準を決定するように構成されたプロセッサ・モジュールと
を備え、
ここにおいて、前記第１のＤＬリソースは、第２の基地局に割り当てられた第２のＤＬリソースへの時分割直交であり、
ここにおいて、前記第１の基地局の基地局タイプは、第１の電力クラスマクロセル基地局、第２の電力クラスマクロセル基地局、フェムトセル基地局またはピコセル基地局のうちの１つであり、
前記第１の基地局の前記基地局タイプは、前記第２の基地局の基地局タイプとは異なる、ワイヤレス通信デバイス。
【請求項４１】
前記プロセッサ・モジュールは、前記信号測定基準に基づいて無線リンク障害（ＲＬＦ）を宣言するかを決定するように更に構成される、請求項４０に記載のデバイス。
【請求項４２】
前記信号測定基準を前記第１の基地局に送信するように構成された送信モジュールを更に備える、請求項４０に記載のデバイス。
【請求項４３】
前記第１の基地局が、第１のセルに関連付けられ、前記ＣＲＳが、第２のセルに関連するノードから送信される、請求項４０に記載のデバイス。
【発明の詳細な説明】
【技術分野】
【０００１】
本出願は、概して、ワイヤレス通信システムを対象とする。より具体的に、ただし非限定的に、本出願は、ロングターム・エボリューション（ＬＴＥ）ネットワークなどのワイヤレス通信ネットワークにおいて時分割多重化されたサブフレームを提供するため、および関連する性能測定基準に基づいてネットワーク・ノードを調整するための方法と装置とに関する。
【０００２】
関連出願の相互参照
本出願は、２００９年９月１５日に出願した「ＭＵＬＴＩＰＬＥＸＩＮＧ  ＳＵＢＦＲＡＭＥ  ＩＮＴＥＲＬＡＣＥＳ  ＢＥＴＷＥＥＮ  ＮＯＤＥＳ  ＯＮ  ＨＥＴＥＲＯＧＥＮＥＯＵＳ  ＮＥＴＷＯＲＫＳ」と題した米国仮出願第６１／２４２，６７８号に対する、米国特許法第１１９条（ｅ）項の下での優先権を主張するものであり、この米国仮出願の内容は、すべての目的でその全体が参照により本明細書に組み込まれる。
【背景技術】
【０００３】
ワイヤレス通信システムは、音声、データ、映像などのさまざまな種類の通信コンテンツを提供するために広く展開され、この展開は、ロングターム・エボリューション（ＬＴＥ）システムなどの新たなデータ指向システムの導入によって拡大するものと思われる。ワイヤレス通信システムは、利用可能なシステムリソース（例えば、帯域幅および送信電力）を分配することによって複数のユーザとの通信をサポートすることができる多元接続システムである可能性がある。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰロングターム・エボリューション（ＬＴＥ）システム、およびその他の直交周波数分割多元接続（ＯＦＤＭＡ）システムが含まれる。
【０００４】
概して、ワイヤレス多元接続通信システムは、複数のワイヤレス端末（ユーザ機器（ＵＥ）またはアクセス端末（ＡＴ）としても知られる）のための通信を同時にサポートすることができる。各端末は、順方向リンクと逆方向リンクとの上の送信によって１つまたは複数の基地局（アクセス・ポイント（ＡＰ）、ｅＮｏｄｅＢまたはｅＮＢとしても知られる）と通信する。順方向リンク（ダウンリンクまたはＤＬとも呼ばれる）は、基地局から端末への通信リンクを指し、逆方向リンク（アップリンクまたはＵＬとも呼ばれる）は、端末から基地局への通信リンクを指す。これらの通信リンクは、シングル入力シングル出力、シングル入力マルチ出力、マルチ入力シングル出力、またはマルチ入力マルチ出力（ＭＩＭＯ）システムによって確立され得る。
【０００５】
ＭＩＭＯシステムは、データ送信のために複数（ＮT個）の送信アンテナと複数（ＮR個）の受信アンテナとを使用する。ＮT個の送信アンテナおよびＮR個の受信アンテナによって形成されたＭＩＭＯチャネルは、空間チャネルとも呼ばれるＮＳ個の独立したチャネルに分解され得る。概して、ＮS個の独立したチャネルのそれぞれは、次元（dimension）に対応する。ＭＩＭＯシステムは、複数の送信アンテナおよび受信アンテナによって生成される追加的な次元（dimensionality）が利用される場合、性能の向上（例えば、より高いスループットおよび／またはより高い信頼性）をもたらすことができる。また、ＭＩＭＯシステムは、時分割複信（ＴＤＤ）システムと周波数分割複信（ＦＤＤ）システムとをサポートする。ＴＤＤシステムにおいて、順方向リンク送信および逆方向リンク送信は同じ周波数領域上にあり、したがって、相反原理（reciprocity principle）が、逆方向リンク・チャネルから順方向リンク・チャネルを推定することを可能にする。このことは、複数のアンテナがアクセス・ポイントにおいて利用可能であるときに、当該アクセス・ポイントが順方向リンク上の送信ビーム・フォーミングの利得を抽出することを可能にする。
【０００６】
ｅＮＢと呼ばれることもある基地局ノードは、ネットワーク内の配置のためのさまざまな能力を有する。この能力は、送信電力クラス、接続制限などを含む一態様において、異種ネットワークの特性は、無線の受信状態の悪い場所（例えば、ドーナツ状のカバレッジホール）をもたらす。これは、望ましくないユーザ機器のセルの関連付けを必要とする深刻なセル間干渉をもたらす可能性がある。概して、異種ネットワークの特性は、それぞれのネットワーク上のノードと機器の間の好ましくない干渉をもたらす可能性がある物理チャネルの深い洞察力を必要とする。
【０００７】
配置される移動局の数が増えるにつれて、適切な帯域幅の利用の必要性が、より重要になる。さらに、ＬＴＥなどのシステムにおいてフェムトセルおよびピコセルなどの小さなセルを管理するための準自律的な基地局を導入するにしたがって、既存の基地局への干渉がより大きな問題となる可能性がある。
【発明の概要】
【０００８】
本開示は、概して、サブフレーム分割を用いるワイヤレス通信システムを対象とする。本開示は、例えば、ロングターム・エボリューション（ＬＴＥ）ネットワークなどのワイヤレス通信ネットワークにおいて時分割多重化されたサブフレームを提供するため、および関連する性能測定基準に基づいてネットワーク・ノードを調整するための方法と装置とに関する。
【０００９】
一態様において、本開示は、ワイヤレス信号送信のための方法に関する可能性がある。方法は、第１のダウンリンク（ＤＬ）リソースが準静的リソースまたは動的リソースのうちの１つとなる割り当てを含むサブフレーム分割構成をワイヤレス・ネットワーク基地局において記憶することを含み得る。方法は、基地局から、ＤＬリソース割り当てに合致する第１の信号を送信することをさらに含み得る。
【００１０】
方法は、例えば、第２のＤＬリソース割り当てに合致する第２の信号を基地局から送信することをさらに含み得る。第２のＤＬリソース割り当ては、準静的リソースまたは動的リソースのうちの１つとなるように、サブフレーム分割構成によって割り当てられ得る。第１のＤＬリソースは、例えば、第２の基地局に割り当てられる第２のＤＬリソースと直交している可能性がある。第２のＤＬリソースは、例えば、準静的リソースまたは動的リソースのうちの１つとなるように、サブフレーム分割構成によって割り当てられ得る。第１のＤＬリソースと第２のＤＬリソースとは、時分割多重化および／または周波数分割多重化され得る。
【００１１】
サブフレーム分割構成は、例えば、少なくとも１つの未割り当てのリソースの割り当てをさらに含み得る。第１の基地局は、例えば、マクロセル基地局、フェムトセル基地局、またはピコセル基地局のうちの１つである可能性がある。
【００１２】
方法は、例えば、サブフレーム・リソース割り当て構成を第２の基地局とネゴシエーションすることと、ネゴシエーションに基づいてサブフレーム・リソース割り当てを決定することとをさらに含み得る。サブフレーム・リソース割り当ては、例えば、メモリに記憶される可能性がある。
【００１３】
別の態様において、本開示は、コンピュータ・プログラム製品に関する。コンピュータ・プログラム製品は、コンピュータに、第１のダウンリンク（ＤＬ）リソースが準静的リソースまたは動的リソースのうちの１つとなる割り当てを含むサブフレーム分割構成をワイヤレス・ネットワーク基地局において記憶させるためのコードを含むコンピュータ可読媒体を含み得る。コードは、コンピュータに、第１のＤＬリソース割り当てに合致する第１の信号を基地局から送信させるためのコードをさらに含み得る。
【００１４】
別の態様において、本開示は、通信デバイスに関する。通信デバイスは、第１のダウンリンク（ＤＬ）リソースが準静的リソースまたは動的リソースのうちの１つとなる割り当てを含むサブフレーム分割構成をワイヤレス・ネットワーク基地局において記憶するように構成されたメモリを含み得る。通信デバイスは、第１のＤＬリソース割り当てに合致する第１の信号を基地局から送信するように構成された送信モジュールをさらに含み得る。
【００１５】
通信デバイスは、例えば、サブフレーム・リソース割り当て構成を第２の基地局とネゴシエーションし、ネゴシエーションに基づいてサブフレーム・リソース割り当てを決定するように構成されたプロセッサ・モジュールをさらに含み得る。デバイスは、サブフレーム・リソース割り当てを記憶するように構成されたメモリをさらに含み得る。
【００１６】
別の態様において、本開示は、通信デバイスに関する。通信デバイスは、第１のダウンリンク（ＤＬ）リソースが準静的リソースまたは動的リソースのうちの１つとなる割り当て含むサブフレーム分割構成をワイヤレス・ネットワーク基地局において記憶するための手段と、第１のＤＬリソース割り当てに合致する第１の信号を基地局から送信するための手段とを含み得る。
【００１７】
別の態様において、本開示は、ワイヤレス信号送信のための方法に関する。方法は、第２のワイヤレス・ネットワーク基地局との通信接続を介して第１のワイヤレス・ネットワーク基地局においてサブフレーム分割構成を決定することを含み得る。方法は、サブフレーム分割構成に合致する第１の信号を第１のワイヤレス・ネットワーク基地局から送信することをさらに含み得る。
【００１８】
サブフレーム分割構成は、例えば、第１のワイヤレス・ネットワーク基地局に割り当てられる第１のＤＬリソースを含む可能性があり、第２のワイヤレス・ネットワーク基地局に割り当てられる第２のＤＬリソースをさらに含む可能性がある。第１のＤＬリソースおよび第２のＤＬリソースは、例えば、準静的リソースである可能性がある。代替的にまたは追加的に、第１のＤＬリソースおよび第２のＤＬリソースは、例えば、動的リソースである可能性がある。準静的リソースと動的リソースとの組み合わせが、使用されてもよい。さらに、サブフレーム分割構成は、例えば、第１のワイヤレス・ネットワーク基地局に割り当てられるＤＬリソースを含み得る。サブフレーム分割構成は、第１のワイヤレス・ネットワーク基地局に割り当てられる第２のＤＬリソースをさらに含み得る。第１のＤＬリソースは、例えば、準静的リソースである可能性があり、第２のＤＬリソースは、例えば、動的リソースである可能性がある。サブフレーム分割構成は、例えば、未割り当てのリソースをさらに含み得る。サブフレーム分割は、部分的な準静的サブフレーム割り当てまたは部分的な動的サブフレーム割り当てなどの部分的なサブフレーム割り当てを含み得る。
【００１９】
通信接続は、例えば、Ｘ２接続などのワイヤレス接続である可能性がある。代替的にまたは追加的に、通信接続は、バックホール接続である可能性がある。バックホール接続が使用される場合、通信接続は、例えば、Ｓ１接続を含み得る。第１の基地局および／または第２の基地局は、コア・ネットワークと通信している可能性がある。決定することは、例えば、コア・ネットワークと連携して行われる可能性がある。代替として、決定することは、コア・ネットワークとは独立に行われる可能性があり、コア・ネットワークは、第１の基地局および／または第２の基地局に関連付けられ得る。
【００２０】
方法は、例えば、第２の信号をユーザ機器（ＵＥ）から受信することをさらに含む可能性があり、ここで、第２の信号は、第１の信号に応じて生成された信号測定基準を含み得る。
【００２１】
別の態様において、本開示は、コンピュータ・プログラム製品に関する。コンピュータ・プログラム製品は、コンピュータに、第２のワイヤレス・ネットワーク基地局との通信接続を介して第１のワイヤレス・ネットワーク基地局においてサブフレーム分割構成を決定させるためのコードを含むコンピュータ可読媒体を含み得る。コードは、コンピュータに、サブフレーム分割構成に合致する第１の信号を第１のワイヤレス・ネットワーク基地局から送信させるためのコードをさらに含み得る。
【００２２】
別の態様において、本開示は、通信デバイスに関する。通信デバイスは、第２のワイヤレス・ネットワーク基地局との通信接続を介して第１のワイヤレス・ネットワーク基地局においてサブフレーム分割構成を決定するように構成されたサブフレーム決定モジュールを含み得る。通信デバイスは、サブフレーム分割構成に合致する第１の信号を第１のワイヤレス・ネットワーク基地局から送信するように構成された送信モジュールをさらに含み得る。
【００２３】
別の態様において、本開示は、通信デバイスに関する。通信デバイスは、第２のワイヤレス・ネットワーク基地局との通信接続を介して第１のワイヤレス・ネットワーク基地局においてサブフレーム分割構成を決定するための手段を含み得る。通信デバイスは、サブフレーム分割構成に合致する第１の信号を第１のワイヤレス・ネットワーク基地局から送信するための手段をさらに含み得る。
【００２４】
別の態様において、本開示は、ワイヤレス信号測定のための方法に関する。方法は、第１の準静的ＤＬリソースの割り当てを含むサブフレーム分割構成をワイヤレス・ネットワーク基地局において記憶することと、第１の準静的ＤＬリソースに合致する第１の信号を第１のワイヤレス・ネットワーク基地局から送信することとを含み得る。方法は、通信リソースを割り当てることに使用可能な信号測定基準を、当該基地局に関連するユーザ機器（ＵＥ）から、第１の信号に応じて受信することをさらに含み得る。
【００２５】
第１の準静的ＤＬリソースは、例えば、第２の基地局に割り当てられる第２の準静的ＤＬリソースと直交している可能性がある。信号測定基準は、例えば、ＲＬＭ測定基準である可能性があり、ＲＬＭ測定基準は、準静的サブフレームの間に決定され得る。準静的サブフレームは、送信に先立ってＵＥにシグナリングされ得る。方法は、例えば、信号測定基準に少なくとも部分的に基づいて通信リソースを割り当てることをさらに含み得る。
【００２６】
別の態様において、本開示は、コンピュータ・プログラム製品に関する。コンピュータ・プログラム製品は、コンピュータに、第１の準静的ＤＬリソースの割り当てを含むサブフレーム分割構成をワイヤレス・ネットワーク基地局において記憶させ、第１の準静的ＤＬリソースに合致する第１の信号を第１のワイヤレス・ネットワーク基地局から送信させるためのコードを含むコンピュータ可読媒体を含み得る。コードは、コンピュータに、通信リソースを割り当てることに使用可能な信号測定基準を、当該基地局に関連するユーザ機器（ＵＥ）から、第１の信号に応じて受信させるためのコードをさらに含み得る。
【００２７】
別の態様において、本開示は、通信デバイスに関する。通信デバイスは、第１の準静的ＤＬリソースの割り当てを含むサブフレーム分割構成を記憶するように構成されたメモリと、第１の準静的ＤＬリソースに合致する第１の信号を送信するように構成された送信機モジュールとを含み得る。通信デバイスは、通信リソースを割り当てることに使用可能な信号測定基準を、当該通信デバイスに関連するユーザ機器（ＵＥ）から、第１の信号に応じて受信するように構成された受信機をさらに含み得る。
【００２８】
別の態様において、本開示は、通信デバイスに関する。通信デバイスは、第１の準静的ＤＬリソースの割り当てを含むサブフレーム分割構成を記憶するための手段と、第１の準静的ＤＬリソースに合致する第１の信号を送信するための手段とを含み得る。通信デバイスは、通信リソースを割り当てることに使用可能な信号測定基準を、当該通信デバイスに関連するユーザ機器（ＵＥ）から、第１の信号に応じて受信するための手段をさらに含み得る。
【００２９】
別の態様において、本開示は、通信ネットワークにおいて送信をスケジューリングするための方法に関する。方法は、サブフレーム・リソースを割り当てる要求を第１のワイヤレス・ネットワーク・ノードから受信することと、サブフレーム・リソース構成にしたがって第１のワイヤレス・ネットワーク・ノードと第２のワイヤレス・ネットワーク・ノードとの間にサブフレーム・リソースを割り当てることとを含み得る。方法は、第１のワイヤレス・ネットワーク・ノードと第２のワイヤレス・ネットワーク・ノードとにサブフレーム・リソース構成を提供することをさらに含み得る。
【００３０】
サブフレーム・リソース構成は、例えば、準静的サブフレーム・リソース割り当ておよび／または動的サブフレーム・リソース割り当てを含み得る。代替的にまたは追加的に、サブフレーム・リソース構成は、未割り当てのリソースの割り当てを含み得る。サブフレーム・リソース構成は、例えば、第１のワイヤレス・ネットワーク・ノードに割り当てられる第１の準静的リソース割り当てと、第２のワイヤレス・ネットワーク・ノードに割り当てられる第２の準静的リソース割り当てとを含み得る。第１の準静的リソース割り当てと第２の準静的リソース割り当てとは、直交するように構成され得る。
【００３１】
別の態様において、本開示は、コンピュータ・プログラム製品に関する。コンピュータ・プログラム製品は、コンピュータに、サブフレーム・リソースを割り当てる要求を第１のワイヤレス・ネットワーク・ノードから受信させ、サブフレーム・リソース構成にしたがって第１のワイヤレス・ネットワーク・ノードと第２のワイヤレス・ネットワーク・ノードとの間にサブフレーム・リソースを割り当てさせるためのコードを含むコンピュータ可読媒体を含み得る。コードは、第１のワイヤレス・ネットワーク・ノードと第２のワイヤレス・ネットワーク・ノードとにサブフレーム・リソース構成を提供するためのコードをさらに含み得る。
【００３２】
別の態様において、本開示は、サブフレーム割り当てを管理するためのシステムに関する。システムは、サブフレーム・リソースを割り当てる要求を第１のワイヤレス・ネットワーク・ノードから受信するように構成された受信機モジュールと、サブフレーム・リソース構成にしたがって第１のワイヤレス・ネットワーク・ノードと第２のワイヤレス・ネットワーク・ノードとの間のサブフレーム・リソースの割り当てを決定するように構成されたプロセッサ・モジュールとを含み得る。システムは、第１のワイヤレス・ネットワーク・ノードと第２のワイヤレス・ネットワーク・ノードとにサブフレーム・リソース構成を提供するように構成された送信モジュールをさらに含み得る。
【００３３】
別の態様において、本開示は、サブフレーム割り当てを管理するためのシステムに関する。システムは、サブフレーム・リソースを割り当てる要求を第１のワイヤレス・ネットワーク・ノードから受信するための手段と、サブフレーム・リソース構成にしたがって第１のワイヤレス・ネットワーク・ノードと第２のワイヤレス・ネットワーク・ノードとの間のサブフレーム・リソースの割り当てを決定するための手段とを含み得る。システムは、第１のワイヤレス・ネットワーク・ノードと第２のワイヤレス・ネットワーク・ノードとにサブフレーム・リソース構成を提供するための手段をさらに含み得る。
【００３４】
別の態様において、本開示は、ワイヤレス通信のための方法に関する。方法は、所定のサブフレーム・リソース割り当てに関する情報を基地局からＵＥにおいて受信することと、リソース割り当てに関連する時間間隔の間に第１の信号を受信することとを含み得る。方法は、第１の信号に関連する信号測定基準を決定することと、基地局に信号測定基準を送信することとをさらに含み得る。
【００３５】
信号測定基準は、例えば、無線リンク監視（ＲＬＭ）測定基準である可能性がある。情報は、例えば、無線リソース管理（ＲＲＭ）制御情報を含み得る。情報は、チャネルフィードバック情報および／またはチャネル品質インジケーション（ＣＱＩ）情報も含み得る。基地局は、第１のセルに関連付けられる可能性があり、第１の信号は、第２のセルに関連するノードから送信される可能性がある。第１のセルは、例えば、マクロセルである可能性があり、第２のセルは、ピコセルまたはフェムトセルである可能性がある。代替として、第１のセルが、ピコセルまたはフェムトセルであってもよく、第２のセルが、マクロセルであってもよい。代替として、第１のセルおよび第２のセルが、マクロセルであってもよいか、または、第１のセルおよび第２のセルが、ピコセルもしくはフェムトセルであってもよい。
【００３６】
第１の信号は、例えば、基準信号である可能性がある。基準信号は、共通基準信号（ＣＲＳ）および／またはチャネル状態情報基準信号（ＣＳＩ−ＲＳ：channel state information reference signal）である可能性がある。
【００３７】
別の態様において、本開示は、コンピュータ・プログラム製品に関する。コンピュータ・プログラム製品は、コンピュータに、所定のサブフレーム・リソース割り当てに関する情報を基地局からＵＥにおいて受信させ、リソース割り当てに関連する時間間隔の間に第１の信号を受信させるためのコードを含むコンピュータ可読媒体を含み得る。コードは、第１の信号に関連する信号測定基準を決定するため、および／または基地局に信号測定基準を送信するためのコードをさらに含み得る。
【００３８】
別の態様において、本開示は、ワイヤレス通信のためのデバイスに関する。デバイスは、所定のサブフレーム・リソース割り当てに関する情報を基地局からＵＥにおいて受信し、リソース割り当てに関連する時間間隔の間に第１の信号を受信するように構成された受信機モジュールを含み得る。デバイスは、第１の信号に関連する信号測定基準を決定するように構成されたプロセッサ・モジュール、および／または基地局に信号測定基準を送信するように構成された送信モジュールをさらに含み得る。
【００３９】
別の態様において、本開示は、ワイヤレス通信のためのデバイスに関する。デバイスは、所定のサブフレーム・リソース割り当てに関する情報を基地局からＵＥにおいて受信するための手段と、リソース割り当てに関連する時間間隔の間に第１の信号を受信するための手段とを含み得る。デバイスは、第１の信号に関連する信号測定基準を決定するための手段、および／または基地局に信号測定基準を送信するための手段をさらに含み得る。
【００４０】
追加の態様が、添付の図面と関連して以下でさらに説明される。
【００４１】
本出願は、添付の図面と併せて考慮される以下の詳細な説明に関連してより完全に理解されるであろう。
【図面の簡単な説明】
【００４２】
【図１】ワイヤレス通信システムの詳細を示す図。
【図２】複数のセルを有するワイヤレス通信システムの詳細を示す図。
【図３】異なる種類のノードを有するマルチセル・ワイヤレス通信システムの詳細を示す図。
【図４Ａ】ワイヤレス通信システムにおける基地局間通信接続の詳細を示す図。
【図４Ｂ】ワイヤレス通信システムにおける基地局間通信接続の詳細を示す図。
【図５】ＬＴＥ通信システムにおける例示的な無線フレームとサブフレームとを示す図。
【図６】サブフレーム・インターレースのために構成された、ワイヤレス・ネットワークにおける例示的なコンポーネント構成を示す図。
【図７】サブフレーム・インターレースのために構成された、ワイヤレス・ネットワークにおける例示的なコンポーネント構成を示す図。
【図８】サブフレーム・インターレースのために構成された、ワイヤレス・ネットワークにおける例示的なコンポーネント構成を示す図。
【図９】サブフレーム・インターレースのために構成された、ワイヤレス・ネットワークにおける例示的なサブフレーム割り当て構成を示す図。
【図１０】サブフレーム・インターレースのために構成された、ワイヤレス・ネットワークにおける別の例示的なサブフレーム割り当て構成を示す図。
【図１１】サブフレーム・インターレースのために構成された、ワイヤレス・ネットワークにおける別の例示的なサブフレーム割り当て構成を示す図。
【図１２】サブフレーム・インターレースのために構成された、ワイヤレス・ネットワークにおける別の例示的なサブフレーム割り当て構成を示す図。
【図１３】サブフレーム・インターレースのために構成された、ワイヤレス・ネットワークにおける別の例示的なサブフレーム割り当て構成を示す図。
【図１４】サブフレーム・インターレースのために構成された、ワイヤレス・ネットワークにおける別の例示的なサブフレーム割り当て構成を示す図。
【図１５】サブフレーム・インターレースのために構成された、ワイヤレス・ネットワークにおける別の例示的なサブフレーム割り当て構成を示す図。
【図１６】マクロセルとピコセルの間のサブフレーム割り当ての一例を示す図。
【図１７】マクロセルとピコセルの間のサブフレーム割り当ての一例を示す図。
【図１８】ワイヤレス・ネットワークにおける複数のセル間の成功したリソース要求に関するＸ２−Ｃ（制御）シグナリングの例を示す図。
【図１９】ワイヤレス・ネットワークにおける複数のセル間の部分的に成功したリソース要求に関するＸ２−Ｃ（制御）シグナリングの例を示す図。
【図２０】ワイヤレス・ネットワークにおける複数のセル間の失敗したリソース要求に関するＸ２−Ｃ（制御）シグナリングの例を示す図。
【図２１】ワイヤレス・ネットワーク基地局におけるサブフレーム・インターレース動作のためのプロセスの一実施形態を示す図。
【図２２】ワイヤレス・ネットワーク基地局におけるサブフレーム・インターレース動作のためのプロセスの一実施形態を示す図。
【図２３】ワイヤレス・ネットワークにおけるインターレースされたサブフレーム割り当てのためのプロセスの一実施形態を示す図。
【図２４】インターレースされたサブフレーム構成に基づく、ユーザ機器（ＵＥ）における信号モニタリングのためのプロセスの一実施形態を示す図。
【図２５】ワイヤレス通信システムにおける基地局とＵＥとの一実施形態を示す図。
【発明を実施するための形態】
【００４３】
本開示は、概して、ワイヤレス通信システムにおける干渉の調整と管理とに関する。種々の実施形態において、本明細書において説明される技術と装置とは、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワーク、およびその他の通信ネットワークなどのワイヤレス通信ネットワークに対して使用され得る。本明細書に記載されるとき、用語「ネットワーク」と「システム」とは、交換可能に使用され得る。
【００４４】
ＣＤＭＡネットワークは、ユニバーサル地上無線アクセス（ＵＴＲＡ）、ｃｄｍａ２０００などの無線テクノロジーを実装することができる。ＵＴＲＡは、広帯域ＣＤＭＡ（Ｗ−ＣＤＭＡ）と低チップレート（ＬＣＲ）とを含む。ｃｄｍａ２０００は、ＩＳ−２０００規格と、ＩＳ−９５規格と、ＩＳ−８５６規格とを包含する。ＴＤＭＡネットワークは、モバイル通信用グローバルシステム（ＧＳＭ（登録商標））などの無線テクノロジーを実装することができる。
【００４５】
ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭなどの無線テクノロジーを実装することができる。ＵＴＲＡ、Ｅ−ＵＴＲＡ、およびＧＳＭは、ユニバーサルモバイル通信システム（ＵＭＴＳ）の一部である。特に、ロングターム・エボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシップ・プロジェクト」（３ＧＰＰ）と名付けられた組織から提供された文書に記載されており、ｃｄｍａ２０００は、「第３世代パートナーシップ・プロジェクト２」（３ＧＰＰ２）と名付けられた組織からの文書に記載されている。これらのさまざまな無線テクノロジーと規格とは、当技術分野において知られており、開発が続けられている。例えば、第３世代パートナーシップ・プロジェクト（３ＧＰＰ）は、全世界的に適用可能な第３世代（３Ｇ）携帯電話の仕様を定義することを目的とする通信団体のグループの間の共同作業である。３ＧＰＰロングターム・エボリューション（ＬＴＥ）は、ユニバーサルモバイル通信システム（ＵＭＴＳ）携帯電話規格を改善することを目的とする３ＧＰＰのプロジェクトである。３ＧＰＰは、次世代のモバイルネットワークと、モバイルシステムと、モバイルデバイスとに関する仕様を定義することができる。明確にするために、装置および技術のいくつかの態様が、ＬＴＥの実装に関して以下で説明され、ＬＴＥの用語が、以下の説明の多くで使用されるが、この説明は、ＬＴＥの応用に限定されるように意図されない。したがって、本明細書において説明される装置と方法とが、さまざまなその他の通信システムおよび応用に適用され得ることは、当業者に明らかであろう。
【００４６】
ワイヤレス通信システムの論理チャネルは、制御チャネルとトラヒック・チャネルとに分類され得る。論理制御チャネルは、システム制御情報をブロードキャストするためのダウンリンク（ＤＬ）チャネルであるブロードキャスト制御チャネル（ＢＣＣＨ）と、ページング情報を転送するＤＬチャネルであるページング制御チャネル（ＰＣＣＨ）と、１つまたは複数のＭＴＣＨに関するマルチメディア・ブロードキャストおよびマルチキャストサービス（ＭＢＭＳ：Multimedia Broadcast and Multicast Service）スケジューリングおよび制御情報を送信するために使用されるポイントツーマルチポイントＤＬチャネルであるマルチキャスト制御チャネル（ＭＣＣＨ）と、を含み得る。概して、無線リソース制御（ＲＲＣ）接続を確立した後、このチャネルは、ＭＢＭＳを受信するＵＥによってのみ使用される。個別制御チャネル（ＤＣＣＨ）は、個別制御情報を送信するポイントツーポイント双方向チャネルであり、ＲＲＣ接続を有するＵＥによって使用される。
【００４７】
論理トラヒック・チャネルは、ユーザ情報を転送するための、１つのＵＥに専用のポイントツーポイント双方向チャネルである個別トラヒック・チャネル（ＤＴＣＨ）と、トラヒックデータを送信するためのポイントツーマルチポイントＤＬチャネル用のマルチキャストトラヒック・チャネル（ＭＴＣＨ）とを含み得る。
【００４８】
トランスポート・チャネルは、ダウンリンク（ＤＬ）トランスポート・チャネルとアップリンク（ＵＬ）トランスポート・チャネルとに分類され得る。ＤＬトランスポート・チャネルは、報知チャネル（ＢＣＨ）と、ダウンリンク共有データチャネル（ＤＬ−ＳＤＣＨ）と、ページング・チャネル（ＰＣＨ）とを含み得る。ＰＣＨは、（ＤＲＸサイクルが、ネットワークによってＵＥに指示されるときに）ＵＥの省電力をサポートするために使用され、セル全体にブロードキャストされ、その他の制御／トラヒック・チャネルのために使用される可能性がある物理レイヤ（ＰＨＹ）リソースにマッピングされ得る。ＵＬトランスポート・チャネルは、ランダム・アクセス・チャネル（ＲＡＣＨ）と、要求チャネル（ＲＥＱＣＨ）と、アップリンク共有データチャネル（ＵＬ−ＳＤＣＨ）と、複数のＰＨＹチャネルとを含み得る。ＰＨＹチャネルは、一式のＤＬチャネルおよびＵＬチャネルを含み得る。
【００４９】
さらに、ＤＬ  ＰＨＹチャネルは、以下を含み得る。
【００５０】
共通パイロットチャネル（ＣＰＩＣＨ）
同期チャネル（ＳＣＨ）
共通制御チャネル（ＣＣＣＨ）
共有ＤＬ制御チャネル（ＳＤＣＣＨ：Shared DL Control Channel）
マルチキャスト制御チャネル（ＭＣＣＨ）
共有ＵＬ割り当てチャネル（ＳＵＡＣＨ：Shared UL Assignment Channel）
確認通知チャネル（ＡＣＫＣＨ）
ＤＬ物理共有データチャネル（ＤＬ−ＰＳＤＣＨ）
ＵＬ電力制御チャネル（ＵＰＣＣＨ）
ページング・インジケータ・チャネル（ＰＩＣＨ）
ロード・インジケータ・チャネル（ＬＩＣＨ）
ＵＬ  ＰＨＹチャネルは、以下を含み得る。
【００５１】
物理ランダム・アクセス・チャネル（ＰＲＡＣＨ）
チャネル品質インジケータ・チャネル（ＣＱＩＣＨ）
確認通知チャネル（ＡＣＫＣＨ）
アンテナ・サブセット・インジケータ・チャネル（ＡＳＩＣＨ）
共有要求チャネル（ＳＲＥＱＣＨ）
ＵＬ物理共有データチャネル（ＵＬ−ＰＳＤＣＨ）
ブロードキャスト・パイロット・チャネル（ＢＰＩＣＨ）
語「例示的な」は、本明細書においては「例、具体例、または事例としての役割を果たす」ことを表すために使用される。本明細書において「例示的」と記載されたいずれの態様および／または実施形態も、必ずしもその他の態様および／または実施形態よりも好ましいまたは有利であると解釈されるべきではない。
【００５２】
さまざまな態様および／または実施形態を説明するために、以下の用語と略語とが使用され得る。
【００５３】
ＡＭ          確認応答モード
ＡＭＤ        確認応答モードデータ
ＡＲＱ        自動再送要求
ＢＣＣＨ      ブロードキャスト制御チャネル
ＢＣＨ        ブロードキャストチャネル
Ｃ−          制御−
ＣＣＣＨ      共通制御チャネル
ＣＣＨ        制御チャネル
ＣＣＴｒＣＨ  符号化複合トランスポート・チャネル（Coded Composite Transport Channel）
ＣＰ          巡回プレフィックス
ＣＲＣ        巡回冗長検査
ＣＴＣＨ      共通トラヒック・チャネル
ＤＣＣＨ      個別制御チャネル
ＤＣＨ        個別チャネル
ＤＬ          ダウンリンク
ＤＳＣＨ      ダウンリンク共有チャネル
ＤＴＣＨ      個別トラヒック・チャネル
ＦＡＣＨ      順方向リンク・アクセス・チャネル
ＦＤＤ        周波数分割複信
Ｌ１          レイヤ１（物理レイヤ）
Ｌ２          レイヤ２（データリンクレイヤ）
Ｌ３          レイヤ３（ネットワークレイヤ）
ＬＩ          長さインジケータ
ＬＳＢ        最下位ビット
ＭＡＣ        媒体アクセス制御
ＭＢＭＳ      マルチメディア・ブロードキャスト・マルチキャスト・サービス
ＭＣＣＨ      ＭＢＭＳポイントツーマルチポイント制御チャネル
ＭＲＷ        受信ウィンドウ移動（Move Receiving Window）
ＭＳＢ        最上位ビット
ＭＳＣＨ      ＭＢＭＳポイントツーマルチポイント・スケジューリング・チャネル    ＭＴＣＨ      ＭＢＭＳポイントツーマルチポイント・トラヒック・チャネル
ＰＣＣＨ      ページング制御チャネル
ＰＣＨ        ページング・チャネル
ＰＤＵ        プロトコルデータユニット
ＰＨＹ        物理レイヤ
ＰｈｙＣＨ    物理チャネル
ＲＡＣＨ      ランダム・アクセス・チャネル
ＲＬＣ        無線リンク制御
ＲＲＣ        無線リソース制御
ＳＡＰ        サービス・アクセス・ポイント
ＳＤＵ        サービス・データユニット
ＳＨＣＣＨ    共有チャネル制御チャネル
ＳＮ          シーケンス番号
ＳＵＦＩ      スーパーフィールド
ＴＣＨ        トラヒック・チャネル
ＴＤＤ        時分割複信
ＴＦＩ        トランスポート・フォーマット・インジケータ
ＴＭ          透過モード
ＴＭＤ        透過モードデータ
ＴＴＩ        送信時間間隔
Ｕ−          ユーザ−
ＵＥ          ユーザ機器
ＵＬ          アップリンク
ＵＭ          非確認応答モード
ＵＭＤ        非確認応答モードデータ
ＵＭＴＳ      ユニバーサルモバイル通信システム
ＵＴＲＡ      ＵＭＴＳ地上無線アクセス
ＵＴＲＡＮ    ＵＭＴＳ地上無線アクセス・ネットワーク
ＭＢＳＦＮ    マルチキャスト・ブロードキャスト単一周波数ネットワーク
ＭＣＥ        ＭＢＭＳ調整エンティティ
ＭＣＨ        マルチキャストチャネル
ＤＬ−ＳＣＨ  ダウンリンク共有チャネル
ＭＳＣＨ      ＭＢＭＳ制御チャネル
ＰＤＣＣＨ    物理ダウンリンク制御チャネル
ＰＤＳＣＨ    物理ダウンリンク共有チャネル
ＭＩＭＯシステムは、データ送信のために複数（ＮT個）の送信アンテナと複数（ＮR個）の受信アンテナとを使用する。ＮT個の送信アンテナおよびＮR個の受信アンテナによって形成されたＭＩＭＯチャネルは、空間チャネルとも呼ばれるＮS個の独立したチャネルに分解され得る。線形受信機（linear receiver）が使用される場合の最大空間多重化ＮSは、ｍｉｎ（ＮT，ＮR）であり、ＮS個の独立したチャネルのそれぞれが次元に対応する。これは、スペクトル効率におけるＮSの増加をもたらす。ＭＩＭＯシステムは、複数の送信アンテナおよび受信アンテナによって生成される追加的な次元が利用される場合、性能の向上（例えば、より高いスループットおよび／またはより高い信頼性）をもたらすことができる。この特別な次元は、階数（rank）によって示され得る。
【００５４】
ＭＩＭＯシステムは、時分割複信（ＴＤＤ）実装と周波数分割複信（ＦＤＤ）実装とをサポートする。ＴＤＤシステムにおいて、順方向リンク送信および逆方向リンク送信は同じ周波数領域を使用し、したがって、相反原理が、逆方向リンク・チャネルから順方向リンク・チャネルを推定することを可能にする。このことは、複数のアンテナがアクセス・ポイントにおいて利用可能であるときに、当該アクセス・ポイントが順方向リンク上の送信ビーム・フォーミングの利得を抽出することを可能にする。
【００５５】
システム設計は、ビーム・フォーミングとその他の機能とを助けるために、ダウンリンクとアップリンクとに関してさまざまな時間周波数基準信号をサポートすることができる。基準信号は、既知のデータに基づいて生成される信号であり、パイロット、プリアンブル、トレーニング信号、サウンディング信号などと呼ばれることもある。基準信号は、チャネル推定、コヒーレント復調、チャネル品質測定、信号強度測定などのさまざまな目的で受信機により使用され得る。複数のアンテナを使用するＭＩＭＯシステムは、通常、アンテナ間で基準信号の送信の調整を行うが、ＬＴＥシステムは、概して、複数の基地局またはｅＮＢからの基準信号の送信の調整を行わない。
【００５６】
３ＧＰＰ仕様３６２１１−９００は、ＰＵＳＣＨまたはＰＵＣＣＨの送信に関連する、復調のための特定の基準信号と、ＰＵＳＣＨまたはＰＵＣＣＨの送信に関連しないサウンディングとを、５．５節で定義する。例えば、表１は、ダウンリンクとアップリンクとで送信され得る、ＬＴＥ実装のためのいくつかの基準信号を列挙し、各基準信号に関する短い説明を与える。セル固有基準信号は、共通パイロット、広帯域パイロットなどとも呼ばれることがある。ＵＥ固有基準信号は、個別基準信号とも呼ばれることがある。
【表１】
0006017308.tif 000002
【００５７】
いくつかの実装において、システムは、時分割複信（ＴＤＤ）を利用する可能性がある。ＴＤＤのために、ダウンリンクおよびアップリンクは、同じ周波数スペクトルまたはチャネルを共有し、ダウンリンク送信およびアップリンク送信は、同じ周波数スペクトル上で送信される。したがって、ダウンリンク・チャネル応答は、アップリンク・チャネル応答と相関性がある可能性がある。相反原理は、アップリンクを介して送信された送信に基づいてダウンリンク・チャネルが推定されることを可能にし得る。これらのアップリンク送信は、基準信号であるか、または（復調後に基準シンボルとして使用され得る）アップリンク制御チャネルである可能性がある。アップリンク送信は、複数のアンテナを介した空間選択的なチャネルの推定を可能にし得る。
【００５８】
ＬＴＥ実装において、直交周波数分割多重化が、ダウンリンクに対して、すなわち、基地局、アクセス・ポイント、またはｅＮｏｄｅＢから端末またはＵＥに使用される。ＯＦＤＭの使用は、スペクトルの柔軟性に対するＬＴＥの要件を満たし、高いピークレートを有する、非常に広い搬送波に対するコスト効率の良いソリューションをもたらし、十分に確立されたテクノロジーであり、例えば、ＯＦＤＭは、ＩＥＥＥ８０２．１１ａ／ｇ、８０２．１６、ＨＩＰＥＲＬＡＮ−２、ＤＶＢ、およびＤＡＢなどの規格で使用されている。
【００５９】
時間周波数物理リソースブロック（本明細書においてはリソースブロック、または簡潔にするために「ＲＢ」とも表記される）は、ＯＦＤＭシステムにおいて、データを搬送するために割り当てられる搬送波（例えば、サブキャリア）または間隔の群として定義され得る。ＲＢは、時間および周波数の区間にわたって定義される。リソースブロックは、スロット内の時間および周波数のインデックスによって定義され得る時間周波数リソースエレメント（本明細書においてはリソースエレメント、または簡潔にするために「ＲＥ」とも表記される）から構成される。ＬＴＥのＲＢおよびＲＥのさらなる詳細は、３ＧＰＰ  ＴＳ３６．２１１に記載されている。
【００６０】
ＵＭＴＳ  ＬＴＥは、２０ＭＨｚから下は１．４ＭＨｚまでのスケーラブルな搬送波帯域幅をサポートする。ＬＴＥにおいて、ＲＢは、サブキャリアの帯域幅が１５ｋＨｚであるときは１２サブキャリア、またはサブキャリアの帯域幅が７．５ｋＨｚであるときは２４サブキャリアとして定義される。例示的な実装において、時間領域で、１０ｍｓの長さであり、それぞれが１ｍｓである１０個のサブフレームからなる定義された無線フレームが存在する。すべてのサブフレームは２スロットからなり、各スロットは０．５ｍｓである。この場合の周波数領域におけるサブキャリアの間隔は、１５ｋＨｚである。（スロット毎に）１２個のこれらのサブキャリアが一緒にＲＢを構成し、したがって、この実装においては、１リソースブロックは１８０ｋＨｚである。６リソースブロックが１．４ＭＨｚの搬送波に収まり、１００リソースブロックが２０ＭＨｚの搬送波に収まる。
【００６１】
上述のように、ダウンリンクにおいて、通常、いくつかの物理チャネルが存在する。特に、ＰＤＣＣＨは送信制御のために使用され、ＰＨＩＣＨはＡＣＫ／ＮＡＣＫを送信するために使用され、ＰＣＦＩＣＨは制御シンボルの数を指定するために使用され、物理ダウンリンク共有チャネル（ＰＤＳＣＨ）はデータ送信のために使用され、物理マルチキャスト・チャネル（ＰＭＣＨ）は単一周波数ネットワークを用いたブロードキャスト送信のために使用され、物理報知チャネル（ＰＢＣＨ）はセル内に重要なシステム情報を送信するために使用される。ＬＴＥのＰＤＳＣＨでサポートされる変調形式は、ＱＰＳＫ、１６ＱＡＭ、および６４ＱＡＭである。
【００６２】
アップリンクにおいて、通常、３つの物理チャネルが存在する。物理ランダムアクセスチャネル（ＰＲＡＣＨ）が、最初のアクセスのために、ＵＥがアップリンク同期されていないときにのみ使用される一方、データは、物理アップリンク共有チャネル（ＰＵＳＣＨ）上で送信される。ＵＥに対してアップリンク上で送信されるべきデータが存在しない場合、制御情報が、物理アップリンク制御チャネル（ＰＵＣＣＨ）上で送信される。アップリンク・データ・チャネルでサポートされる変調形式は、ＱＰＳＫ、１６ＱＡＭ、および６４ＱＡＭである。
【００６３】
仮想ＭＩＭＯ／空間分割多元接続（ＳＤＭＡ）が導入される場合、アップリンク方向のデータ転送速度は、基地局のアンテナ数によって高められ得る。このテクノロジーによって、２つ以上のモバイル機器が、同じリソースを再利用することができる。ＭＩＭＯの動作に関して、一人のユーザのデータスループットを高めるためのシングルユーザＭＩＭＯと、セルのスループットを高めるためのマルチユーザＭＩＭＯとは、区別される。
【００６４】
３ＧＰＰ  ＬＴＥにおいて、移動局またはモバイルデバイスは、「ユーザデバイス」または「ユーザ機器」（ＵＥ）と呼ばれることもある。基地局は、発展型ＮｏｄｅＢまたはｅＮＢと呼ばれることもある。準自律的な基地局は、ホームｅＮＢまたはＨｅＮＢと呼ばれることもある。したがって、ＨｅＮＢは、ｅＮＢの一例である可能性がある。ＨｅＮＢおよび／またはＨｅＮＢのカバーエリアは、フェムトセル、ＨｅＮＢセル、または（アクセスが制限されている）限定加入者グループ（ＣＳＧ：closed subscriber group）と呼ばれることもある。
【００６５】
本開示のさまざまなその他の態様と特徴とが、以下でさらに説明される。本明細書の教示は多種多様な形態で実施され得ることと、本明細書において開示されている任意の特定の構造、機能、またはそれら両方は単なる代表例に過ぎないこととは、明らかであるに違いない。本明細書の教示に基づいて、当業者は、本明細書で開示される態様が任意のその他の態様とは独立して実施され得ることと、これらの態様のうちの２つ以上がさまざまな方法で組み合され得ることとを理解すべきである。例えば、本明細書に記載の任意の数の態様を用いて装置が実装され得るか、または方法が実施され得る。加えて、本明細書に記載の態様のうちの２つ以上に加えて、または本明細書に記載の態様のうちの２つ以上以外のその他の構造、機能、または構造と機能とを用いて、そのような装置が実装され得るか、またはそのような方法が実施され得る。さらに、態様は、請求項の少なくとも１つの要素を備える可能性がある。
【００６６】
図１は、ＬＴＥシステムである可能性がある多元接続ワイヤレス通信システムの実装の詳細を示す。発展型ＮｏｄｅＢ（ｅＮＢ）１００（アクセス・ポイントまたはＡＰとしても知られる）は、複数のアンテナ群を含むことができ、１つのアンテナ群は１０４と１０６とを含み、別のアンテナ群は１０８と１１０とを含み、さらなるアンテナ群は１１２と１１４とを含む。図１においては、各アンテナ群について２つのアンテナしか示されていないが、より多くの、またはより少ないアンテナが各アンテナ群に対して利用され得る。ユーザ機器（ＵＥ）１１６（アクセス端末またはＡＴとしても知られる）は、アンテナ１１２と１１４と通信しており、アンテナ１１２および１１４は、順方向リンク（ダウンリンクとしても知られる）１２０を介してＵＥ１１６に情報を送信し、逆方向リンク（アップリンクとしても知られる）１１８を介してＵＥ１１６から情報を受信する。第２のＵＥ１２２は、アンテナ１０６と１０８と通信しており、アンテナ１０６および１０８は、順方向リンク１２６を介してＵＥ１２２に情報を送信し、逆方向リンク１２４を介してアクセス端末１２２から情報を受信する。周波数分割複信（ＦＤＤ）システムにおいては、通信リンク１１８、１２０、１２４、および１２６は、通信のために異なる周波数を使用することができる。例えば、順方向リンク１２０は、逆方向リンク１１８によって使用される異なる周波数を使用することができる。時分割複信（ＴＤＤ）システムにおいては、ダウンリンクとアップリンクとは、共有され得る。
【００６７】
アンテナの各群、および／またはそれらの各群がその中で通信するように設計される領域は、ｅＮＢのセクタと呼ばれることが多い。アンテナ群は、それぞれ、ｅＮＢ１００によってカバーされる領域のセクタ内のＵＥと通信するように設計される。順方向リンク１２０と１２６とを介した通信において、ｅＮＢ４００の送信アンテナは、異なるアクセス端末１１６と１２４とに関する順方向リンクの信号対雑音比を改善するためにビーム・フォーミングを利用する。また、そのカバー範囲中にランダムに散らばったＵＥに送信するためにビーム・フォーミングを使用するｅＮＢは、すべてのそのＵＥに単一のアンテナを介して送信するｅＮＢよりも、近隣のセル内のＵＥに対して引き起こす干渉が少ない。ｅＮＢは、ＵＥと通信するために使用される固定局である可能性があり、アクセス・ポイント、ＮｏｄｅＢ、または何らかのその他の同義の用語で呼ばれることもある。ＵＥは、アクセス端末、ＡＴ、ユーザ機器、ワイヤレス通信デバイス、端末、または何らかのその他の同義の用語で呼ばれることもある。
【００６８】
図２は、ＬＴＥシステムなどの多元接続ワイヤレス通信システム２００の実装の詳細を示す。多元接続ワイヤレス通信システム２００は、セル２０２と、２０４と、２０６とを含む複数のセルを含む。システム２００の一態様において、セル２０２、２０４、および２０６は、複数のセクタを含むｅＮＢを含み得る。複数のセクタは、各アンテナがセルの一部分の中のＵＥとの通信を担うようにして、アンテナの群によって形成され得る。例えば、セル２０２において、アンテナ群２１２、２１４、および２１６は、それぞれ、異なるセクタに対応する可能性がある。セル２０４においては、アンテナ群２１８、２２０、および２２２は、それぞれ、異なるセクタに対応する。セル２０６においては、アンテナ群２２４、２２６、および２２８は、それぞれ、異なるセクタに対応する。セル２０２、２０４、および２０６は、各セル２０２、２０４、または２０６の１つまたは複数のセクタと通信している可能性があるいくつかのワイヤレス通信デバイス、例えば、ユーザ機器またはＵＥを含み得る。例えば、ＵＥ２３０および２３２はｅＮＢ２４２と通信している可能性があり、ＵＥ２３４および２３６はｅＮＢ２４４と通信している可能性があり、ＵＥ２３８および２４０はｅＮＢ２４６と通信している可能性がある。セルと関連する基地局とは、システム・コントローラ２５０に結合される可能性があり、システム・コントローラ２５０は、サブフレーム分割割り当ておよび構成に関連する、本明細書でさらに説明される機能を実行するために使用され得るような、コアまたはバックホール・ネットワークの一部である可能性がある。
【００６９】
図３は、サブフレーム分割が実装され得る、ＬＴＥシステムなどの多元接続ワイヤレス通信システム３００の実装の詳細を示す。システム３００のさまざまな要素は、図１と２とに示されたコンポーネントと構成とを用いて実装され得る。システム３００は、異なる特性を有するさまざまなアクセス・ポイントまたはｅＮＢが配置される可能性がある異種ネットワークとして構成され得る。例えば、マクロセルｅＮＢ、ピコセルｅＮＢ、およびフェムトセルｅＮＢなどの異なる種類のｅＮＢが、特定のエリアまたは領域内で近接して配置される可能性がある。さらに、異なる電力クラスのｅＮＢが、さまざまな実装において配置される可能性もある。ｅＮＢの関連するセルとともに図３に示されたｅＮＢは、本明細書においてさらに説明されるサブフレーム分割を使用するように構成され得る。概して、サブフレーム分割は、ネットワーク干渉抑圧を容易にし、および／または範囲の拡張を行うために接続モード（connected mode）で提供される。
【００７０】
ネットワーク３００は、６つのｅＮＢ３１０と、３２０と、３３０と、３４０と、３５０と、３６０とを含む。これらのｅＮＢは、さまざまな実装において、異なる種類および／または異なる電力クラスである可能性がある。例えば、システム３００において、ｅＮＢ３１０は、マクロセルに関連する高電力ｅＮＢである可能性があり、ｅＮＢ３２０は、異なる電力クラスで動作し得る別のマクロセルｅＮＢである可能性があり、ｅＮＢ３３０は、同じまたは異なる電力クラスで動作する別のｅＮＢである可能性があり、ｅＮＢ３４０および３５０は、ピコセルｅＮＢである可能性がある。フェムトセル・ノードなどのその他の種類および／またはクラスのその他のｅＮＢ（図示せず）も、含まれ得る。ｅＮＢ３３０は、サービスを受けるＵＥ３３１と３３２と通信している可能性があり、さらに、ｅＮＢ３５０によってサービスを提供され得るＵＥ３５１に干渉をもたらす可能性がある。したがって、ｅＮＢ３３０とｅＮＢ３５０との間のセル間干渉調整が、本明細書において説明されるように、この干渉を抑圧するために使用され得る。同様に、ｅＮＢ３４０によってサービスを提供され得るＵＥ３４１および３４２は、ＵＥ３２１にサービスを提供している可能性があるマクロセルｅＮＢ３２０からの干渉を受ける可能性がある。これら２つの例においては、マクロセル・ノードが、ピコセル・ノードに干渉をもたらす可能性があるが、その他の場合、ピコセル・ノードが、マクロセル・ノード（および／またはフェムトセルノード）に干渉をもたらす可能性があり、さらに、マクロセル・ノードが、互いに干渉をもたらす可能性がある。例えば、ＵＥ３６１にサービスを提供しているマクロセルｅＮＢ３６０は、高電力ｅＮＢである可能性があり、ＵＥ３１１にもサービスを提供している可能性があるｅＮＢ３１０によってサービスを提供されているＵＥ３１２に干渉をもたらし得る。
【００７１】
図３の単純化されたタイミング図３１５〜３６５に示されるように、一態様において、各ｅＮＢとそのｅＮＢに関連するＵＥとは、動作すべき（図３において斜線で示される）特定のサブフレームを割り当てられ得る。白抜きで示されたサブフレームは、送信が制限または禁止されるように制限され得る。一部のｅＮＢは、すべてのまたはほとんどのサブフレームを割り当てられ得る。例えば、ｅＮＢ３１０は、タイミング図３１５において、すべてのサブフレームを使用することができるように示される。その他のｅＮＢは、動作すべき特定のサブフレームのみ割り当てられ得る。例えば、ｅＮＢ３３０は、タイミング図３５５に示される特定のサブフレームを割り当てられ、一方、ｅＮＢ３６０は、図３６５に示される直交するサブフレームを割り当てられる（サブフレームは、時分割直交するように割り当てられる）。本明細書において後でさらに説明される組み合わせを含め、サブフレームのさまざまなその他の組み合わせが、種々の実施形態において利用され得る。
【００７２】
サブフレームの割り当ては、図３に示されたｅＮＢなどのｅＮＢ間の直接的なネゴシエーションによって行われる可能性があり、および／またはバックホール・ネットワークと連携して行われる可能性がある。図４Ａは、その他のｅＮＢとのｅＮＢの相互接続の例示的なネットワークの実施形態４００Ｂの詳細を示す。ネットワーク４００Ａは、マクロｅＮＢ４０２、および／またはピコセルｅＮＢ４１０である可能性がある複数のさらなるｅＮＢを含み得る。ネットワーク４００は、スケーラビリティの理由でＨｅＮＢゲートウェイ４３４を含み得る。マクロｅＮＢ４０２およびゲートウェイ４３４は、それぞれ、モビリティ管理エンティティ（ＭＭＥ）４４２のプール４４０および／またはサービングゲートウェイ（ＳＧＷ）４４６のプール４４４と通信することができる。ｅＮＢゲートウェイ４３４は、個別Ｓ１接続４３６のためのＣプレーンおよびＵプレーンの中継として現れる可能性がある。Ｓ１接続４３６は、発展型パケットコア（ＥＰＣ）と発展型ユニバーサル地上アクセスネットワーク（ＥＵＴＲＡＮ）との間の境界として指定される論理インターフェースである可能性がある。したがって、Ｓ１接続４３６は、その他のネットワークにさらに結合され得るコア・ネットワーク（図示せず）へのインターフェースを提供する。ｅＮＢゲートウェイ４３４は、ＥＰＣから見るとマクロｅＮＢ４０２として働くことができる。ＣプレーンインターフェースはＳ１−ＭＭＥである可能性があり、ＵプレーンインターフェースはＳ１−Ｕである可能性がある。サブフレームの割り当ては、図３に示されたｅＮＢなどのｅＮＢ間の直接的なネゴシエーションによって行われる可能性があり、および／またはバックホール・ネットワークと連携して行われる可能性がある。ネットワーク４００は、マクロｅＮＢ４０２と、ピコセルｅＮＢ４１０である可能性がある複数のさらなるｅＮＢとを含み得る。
【００７３】
ｅＮＢゲートウェイ４３４は、ｅＮＢ４１０に対して単一のＥＰＣノードとして働くことができる。ｅＮＢゲートウェイ４３４は、ｅＮＢ４１０に対してＳ１−ｆｌｅｘ接続性を保証することができる。ｅＮＢゲートウェイ４３４は、単一のｅＮＢ４１０がｎ個のＭＭＥ４４２と通信することができるように１：ｎ中継機能を提供し得る。ｅＮＢゲートウェイ４３４は、Ｓ１セットアップ手順によって作動されるときに、ＭＭＥ４４２のプール４４０に登録する。ｅＮＢゲートウェイ４３４は、ｅＮＢ４１０とのＳ１インターフェース４３６のセットアップをサポートすることができる。
【００７４】
ネットワーク４００Ｂは、自己管理ネットワーク（ＳＯＮ：self organizing network）サーバ４３８も含み得る。ＳＯＮサーバ４３８は、３ＧＰＰ  ＬＴＥネットワークの自動的な最適化を行うことができる。ＳＯＮサーバ４３８は、ワイヤレス通信システム４００において運用管理および保守（ＯＡＭ）機能を改善するための重要な要素である可能性がある。Ｘ２リンク４２０は、マクロｅＮＢ４０２とｅＮＢゲートウェイ４３４との間に存在し得る。Ｘ２リンク４２０は、共通のｅＮＢゲートウェイ４３４に接続されたｅＮＢ４１０のそれぞれの間にも存在し得る。Ｘ２リンク４２０は、ＳＯＮサーバ４３８からの入力に基づいてセットアップされ得る。Ｘ２リンク４２０は、ＩＣＩＣ情報を伝達することができる。Ｘ２リンク４２０が確立されることができない場合、Ｓ１リンク４３６が、ＩＣＩＣ情報を伝達するために使用され得る。マクロｅＮＢ４０２とｅＮＢ４１０との間の、本明細書でさらに説明されるさまざまな機能を管理するために、通信システム４００においてバックホール・シグナリングが使用され得る。例えば、これらの接続は、サブフレーム割り当ての調整とスケジューリングとを容易にするために、本明細書において引き続いてさらに説明されるように使用され得る。
【００７５】
図４Ｂは、その他のｅＮＢとのｅＮＢの相互接続のネットワークの実施形態の別の例示的な実施形態４００Ｂを示す。ネットワーク４００Ｂにおいては、ＳＯＮサーバは含まれず、ｅＮＢ４０２などのマクロｅＮＢは、ピコｅＮＢ４１０などのその他のｅＮＢ（および／または図示されていないその他の基地局）と通信することができる。
【００７６】
図５は、例えば、ＬＴＥ時分割複信（ＴＤＤ）システムにおいて使用され得る例示的なフレーム構造５００を示す。フレーム構造５００において、無線フレームは、サブフレーム＃０〜＃９と表記される１０個のサブフレームからなる。無線フレームは、示されるように、５個のサブフレームからなる２つの半フレームに分割され得る。例示的な実装において、各サブフレームは、１ミリ秒（ｍｓ）の継続時間を有し、したがって、無線フレームの継続時間は１０ｍｓとなる。
【００７７】
一態様において、例えば図５に示されているような無線フレームのサブフレームは、例えば図３に示されているように、特定のセルと関連するｅＮＢとにインターレースされた方法で割り当てられ得る。
【００７８】
図６は、分割されたサブフレームを利用するための例示的なワイヤレス・ネットワーク６００を示す。システム６００は、図１〜４において既に示されたネットワーク構成のようなワイヤレス・ネットワーク６１０中でサブフレーム・インターレース分割を使用することができる。システム６００は、さまざまなデバイス６３０とワイヤレス・ネットワーク６１０を介して通信することができるエンティティである可能性がある１つまたは複数のｅＮＢ６２０（ノード、基地局、サービングｅＮＢ、ターゲットｅＮＢ、フェムトノード、ピコノードなどとも呼ばれる）を含む。
【００７９】
例えば、各デバイス６３０は、ＵＥ（端末もしくはアクセス端末（ＡＴ）、ユーザ機器、モビリティ管理エンティティ（ＭＭＥ）、またはモバイルデバイスとも呼ばれる）である可能性がある。（１つまたは複数の）ｅＮＢまたは（１つまたは複数の）基地局１２０は、ネットワーク６１０における干渉を抑圧するために、本明細書でさらに説明されるように準静的または動的にサブフレーム・インターレースが構成され得るモジュールである可能性があるインターレース分割コンポーネント６４０を含み得る。デバイス６３０は、本明細書でさらに説明されるように、構成されたサブフレーム・インターレースを受信し、構成されたサブフレーム・インターレースに応答するように構成されたモジュールである可能性があるインターレース処理コンポーネント６４４を含み得る。示されるように、ｅＮＢ６２０は、ダウンリンク（ＤＬ）６６０を介して１つのデバイスまたは複数のデバイス６３０に通信を送り、アップリンク（ＵＬ）６７０を介してデータを受信することができる。アップリンクおよびダウンリンクというそのような呼称は、デバイス６３０もダウンリンクを介してデータを送信し、アップリンク・チャネルを介してデータを受信することができるので任意的である。２つのワイヤレス・ネットワーク・コンポーネント６２０と６３０とが示されているが、３つ以上のコンポーネントがネットワーク６１０で使用される可能性があり、そのような追加的なコンポーネントも、本明細書で説明されるサブフレーム・インターレース処理に適合され得ることが認められる。
【００８０】
概して、インターレース技術は、異種ワイヤレス・ネットワーク６１０（ｈｅｔｎｅｔとも表記されることがある）においてノード間の干渉を抑圧するために提供され得る。一態様において、サブフレーム・インターレースの時分割多重（ＴＤＭ）分割が、接続モードのユーザ機器に関する遠近干渉問題（near-far interference problem）に対処するため、および／またはその他の問題もしくは懸念事項に対処するためにｅＮＢのクラスおよび／または種類の間で行われ得る。サブフレーム・インターレースは、ｅＮＢのクラスに対して割り当てられる可能性があり、基地局６２０において準静的に割り当てられる可能性があり、ユーザ機器６３０は、割り当ての時間の前に確実にシグナリングされる（すなわち、準静的割り当てにおいて、ＵＥ６３０などのデバイスは、特定のサブフレームの１つの割り当てまたは複数の割り当ての送信の前にシグナリングされる）。そのとき、準静的割り当ては、例えば、デバイス６３０および／またはｅＮＢの物理レイヤ制御手順に対して使用され得る。準静的割り当ては、ＵＥとｅＮＢの両方の物理レイヤ制御手順に対して使用され得る。
【００８１】
別の態様において、サブフレーム・インターレースは、動的に去りあてられる可能性があり、割り当ては、動的に行われ、デバイス６３０には前もってわからない。典型的には、動的割り当ては、（通常、ＵＥではなく）ｅＮＢ６２０の物理レイヤ制御手順に対して使用され得る。サブフレーム・インターレース分割は、後でより詳細に説明されるように、例えば、三つ組みの識別子（Ｌ，Ｎ，Ｋ）により表記され得る。概して、動的割り当ては、ＵＥではなくｅＮＢの物理レイヤ制御手順に対して使用される。
【００８２】
異種ネットワーク設計のためのシステム設計（例えば、ＬＴＥ−Ａ）は、システム取得と、ランダムアクセスと、データ通信と、制御と、データとを利用する既存の信号とチャネルとを使用することができる。先進的な受信機アルゴリズムが、深いチャネルの侵入を可能にし、ユーザ機器６３０とｅＮＢ６２０とにおけるより正確な測定を行うために提供され得る。このアプローチは、より柔軟なＵＥセル関連付けを可能にすることができ、セル間の調整を改善することを容易にし得る。さらに、異なるｅＮＢ電力クラス間のＴＤＭに基づくインターレース分割は、後で説明されるように準静的または動的であることができる。ｅＮＢ６２０間のさらなる動的リソース調整コンポーネント（例えば、図４に示されているようなノード間のバックホール通信チャネルなど）も、設けられ得る。
【００８３】
システム６００の実装は、ＵＥまたはその他の固定デバイスもしくはモバイルデバイスで使用される可能性があり、例えば、ＳＤカード、ネットワークカード、ワイヤレス・ネットワークカード、コンピュータ（ラップトップ、デスクトップ、携帯情報端末ＰＤＡを含む）、携帯電話、スマートフォン、またはネットワークにアクセスするために利用され得る任意のその他の好適なデバイスなどのモジュールとして実装される可能性があることが認められる。ＵＥは、アクセス・コンポーネント（図示せず）を通じてネットワークにアクセスすることができる。
【００８４】
一例において、ＵＥとアクセス・コンポーネントとの間の接続は本質的にワイヤレスであってよく、アクセス・コンポーネントはｅＮＢ（またはその他の基地局）である可能性があり、モバイルデバイスはワイヤレス端末である。例えば、端末と基地局とは、時分割多元接続（ＴＤＭＡ）、符号分割多元接続（ＣＤＭＡ）、周波数分割多元接続（ＦＤＭＡ）、直交周波数分割多重化（ＯＦＤＭ）、ＦＬＡＳＨ  ＯＦＤＭ、直交周波数分割多元接続（ＯＦＤＭＡ）、または任意のその他の好適なプロトコルを含むがこれらに限定されない任意の好適なワイヤレス・プロトコルによって通信することができる。
【００８５】
アクセス・コンポーネントは、有線ネットワークまたはワイヤレス・ネットワークに関連するアクセスノードである可能性がある。したがって、アクセス・コンポーネントは、例えば、ルータ、スイッチなどである可能性がある。アクセス・コンポーネントは、その他のネットワーク・ノードと通信するための１つまたは複数のインターフェース、例えば、通信モジュールを含み得る。さらに、アクセス・コンポーネントは、セルラ型ネットワークにおけるｅＮＢ（またはその他のワイヤレスアクセス・ポイント）などの基地局である可能性があり、基地局（またはワイヤレスアクセス・ポイント）は、複数の加入者にワイヤレスカバーエリアを提供するために利用される。そのような基地局（またはワイヤレスアクセス・ポイント）は、例えば、図２と３とに示されているように、１つまたは複数のセルラ電話および／またはその他のワイヤレス端末に切れ目のないカバーエリアを提供するように配置され得る。
【００８６】
図７は、サブフレーム・インターレース分割を実装するために使用され得るワイヤレス・ネットワークコンポーネントの実施形態７００の詳細を示す。特に、ｅＮＢ７１０と７２０として示される２つ以上の基地局は、インターレース（すなわち、特定のサブフレーム割り当て）を要求するために通信し、サブフレーム割り当てをネゴシエーションもしくは決定し、および／またはインターレースされたサブフレームを用いて関連するＵＥ（図示せず）などの関連するネットワーク・コンポーネントに送信することができる。ｅＮＢ７１０および７２０のそれぞれは、本明細書において説明されるサブフレーム割り当ておよび使用機能を実行するためのサブフレーム割り当ておよび調整モジュール７１５、７２５を含み得る。基地局７１０および７２０は、Ｘ２接続７５０を介して、および／またはＳ１接続７６２、７６４を介して通信することができる。コアまたはバックホール・ネットワーク７０８は、相互接続性を提供することができ、および／またはサブフレーム分割と割り当てとをすべてまたは一部管理することができる。
【００８７】
図８は、サブフレーム・インターレース分割を実装するために使用され得るワイヤレス・ネットワーク・コンポーネントの実施形態８００の詳細を示す。基地局（ｅＮＢ）８１０は、ダウンリンク８５２とアップリンク８５４とを介して関連するＵＥ８１０と通信している可能性がある。別の基地局（ｅＮＢ）８２０は、隣接セル内ある可能性があり、図７に示されているように、ｅＮＢ８１０とサブフレーム・インターレースを調整した可能性がある。準静的サブフレームがｅＮＢ８１０に割り当てられる可能性があり、次いで、ｅＮＢ８１０は当該サブフレームをＵＥ８３０に伝える。代替的におよび／または追加的に、動的な１つのサブフレームまたは複数のサブフレームが、ｅＮＢ８１０と８２０との間に割り当てられる可能性もある。
【００８８】
準静的サブフレームの間、ｅＮＢ８２０は、準静的サブフレームの間、送信を控える可能性があり、ＵＥ８３０は、準静的サブフレームの間、監視またはその他の機能を実行する。監視は、ｅＮＢ８２０からのＤＬ８６０上の送信に基づくことができる。ｅＮＢ８１０に割り当てられた準静的サブフレームの間のｅＮＢからの送信は、サブフレーム送信制御モジュール８２５で制御され得る。同様に、サブフレーム割り当ては、ｅＮＢ８１０においてモジュール８１５で、および／またはｅＮＢ８１０とｅＮＢ８２０との間の通信で、および／またはコア・ネットワーク・モジュール（図示せず）で実施され得る。ＵＥ８３０においてサブフレーム監視モジュール８３５で行われ得る監視機能を実行した後、ＵＥ８３０において決定されたパラメータが、ｅＮＢ８１０に送信される可能性がある。例えば、ＲＳＲＰ、ＲＳＲＱの測定および／またはその他の共通基準信号（ＣＲＳ）測定基準が、準静的な間隔の間にＵＥ８３０において実行され得る。これらの測定は、無線リンク監視（ＲＬＭ）測定および処理と、無線リンク障害（ＲＬＦ）の宣言とに関連し得る。例えば、ＲＬＦ宣言は、さらなる干渉の影響を受ける可能性があるその他のサブフレームではなく準静的サブフレームの間になされた測定に基づく可能性がある。概して、ネットワークは、ＵＥがそのＵＥの測定をそのリソースに制限するリソース（サブフレーム、または規格によって許された任意のその他のものなど）を自由に構成できるべきである。準静的サブフレームを構成するための１つの基準は、ＵＥに対するシグナリングを最小化することである可能性がある。
【００８９】
ＲＳＲＰおよびＲＳＲＱなどの無線リソース管理（ＲＭＭ）測定と、チャネルフィードバックおよび／またはその他の測定基準などのその他の測定基準とが、ＵＥ８３０によって行われる可能性があり、監視モジュール８３５で実行される可能性がある。一態様において、ネットワークは、準静的に割り当てられたサブフレームのみをすべてまたは一部利用するようにＵＥを構成し、それによって、ＵＥにおける測定を、シグナリングされたまたは構成された一式のリソースに制限することができる。
【００９０】
代替的にまたは追加的に、ネットワークは、準静的に割り当てられていないリソースでの測定も構成する可能性がある。概して、ネットワークは、ＵＥの測定を、干渉の特性がその一式のリソース内では類似しているが、その一式のリソース外では大きく異なる可能性があると予測される一式のリソースに制限することができる。この場合の測定の制限は、ＵＥが別個の測定量をネットワークに報告し、したがって、ＵＥにおける無線状態についてより多くの情報を提供することを可能にすることができる。共通基準信号（ＣＲＳ）が衝突しない場合、測定（例えば、受信されたＣＲＳに対して実行される測定）は、データリソース・エレメントからの干渉のみを示し、したがって、近隣のセルが所与のリソース（例えば、サブフレーム）にデータ・トラヒックをスケジューリングしているか否かに大きく依存する可能性がある。ＣＲＳが衝突する場合、測定は、近隣のＣＲＳからの干渉のみを示す。ＲＲＭの測定と同様に、チャネル品質測定（例えば、ＣＱＩ／ＰＭＩ／ＲＩ）も、一式のリソースに制限され得ることが認められる。ＬＴＥシステムなどにおける初期接続中、ＵＥと基地局との間の初期通信は、通信の順番に基づいてＭｓｇ１、Ｍｓｇ２、Ｍｓｇ３などと表記され得る。Ｍｓｇ１は、基地局からカバー範囲内のＵＥに向かって開始され得る。近隣のセルからの干渉がある場合、アクセス手順は、ｅＮＢに、サブフレームを割り当てられたＤＬでＭｓｇ２を送信させ、サブフレームを割り当てられたＵＬでＭｓｇ３をスケジューリングさせることを含み得る。特に、Ｍｓｇ３は、ＨＡＲＱの恩恵を受けるように設計され得る。サブフレーム分割が利用されるときにＨＡＲＱの恩恵を大きくするために、Ｍｓｇ２の遅延ビット（delay bit）は、サブフレーム分割のあらゆるケースに対応するように拡張される必要がある可能性がある（例えば、１フレームを超える遅延が、ＵＥにおいて想定される必要がある可能性がある）。これは、４または８ミリ秒の遅延がＵＥにシグナリングされることを可能にするために１つまたは２つの追加のビットを付け加えることによって行われ得る。代替的にまたは追加的に、ＵＥは、（１ビットが使用されると仮定して）１ビットの意味を解釈しなおすことができる。例えば、５または６ミリ秒を表す１ビットの代わりに、追加の遅延ビットは、異なる遅延の値を表す。一例において、遅延ビットは、６ミリ秒を指すのではなく、次の利用可能な既知の保護されたサブフレームを指すように定義され得る。このケースでは、Ｍｓｇ２が送信されるときのサブフレームは、保護されていることがわかっており、８ｍｓ毎に繰り返し、次の利用可能なサブフレームは、１２ｍｓ後（例えば、周期性のための８ミリ秒、およびＵＬとＤＬとの間の公称オフセットのための４ミリ秒）である。
【００９１】
図９は、３に示されたようなワイヤレス通信システムにおけるマクロセル（Ｍjと表記される）とピコセル（Ｐkと表記される）との間のサブフレーム割り当ての例示的な実施形態９００を示す。この特定のサブフレーム・インターレース割り当ては、限定ではなく例示を目的として提供され、本明細書において後で示されるサブフレーム割り当てを含む多くのその他のサブフレーム割り当ても、さまざまな実装において使用され得ることが認められる。サブフレーム割り当ては、三つ組み（Ｌ，Ｎ，Ｋ）によって記述されることができ、ここで、Ｌは、例えばマクロセルを定義するクラスＭなどの特定のクラスのｅＮＢへの準静的割り当ての数であり、Ｎは、例えばピコセルを定義するクラスＰなどの第２のクラスの準静的割り当ての数であり、Ｋは、利用可能な動的サブフレーム分割の数。例えばＨＡＲＱを容易にすることなどを目的に、サブフレーム割り当てが８に等しい場合、Ｋは８−Ｌ−Ｎに等しい。
【００９２】
タイミング図９１０は、セルＭjのダウンリンクに割り当てられたサブフレーム割り当てを示し、図９２０は、対応するアップリンクを示す。同様に、図９３０と９４０とは、ピコセルＰkに関するＤＬとＵＬとに対応する。この例においては、（Ｌ，Ｎ，Ｋ）＝（１，１，６）である。ハイブリッド自動再送要求（ＨＡＲＱ）が、ワイヤレス通信システムにおいて使用され得る。ＬＴＥの１つの実装において定義されたＨＡＲＱを使用する場合、応答は、４サブフレーム間隔で現れると定義される。例えば、セルＭｊに示されるように、サブフレーム０（サブフレーム９２２として示される）におけるＤＬの送信は、サブフレーム４（９２４として示される）におけるＡＣＫ／ＮＡＣＫ送信での応答を期待する。このサイクルは、図９に示されるように周期的に繰り返す。
【００９３】
サブフレーム割り当ては、マクロセルＭｊなどの第１のセルからの準静的サブフレーム割り当てが、隣接するピコセルＰkにおける対応する未割り当てのスロットを有するように行われ得る。例えば、サブフレーム０では、サブフレーム９２２が、セルＭjに準静的に割り当てられ、それに対応して、Ｐkにおいては割り当てられない可能性がある。時間Ｔ0とＴ1との間のこのサブフレーム中、セルＭj内のＵＥは、本明細書において説明されるように監視機能を実行することができる。同様に、サブフレーム４（サブフレーム９２４として示される）がセルＰkに割り当てられる場合、当該サブフレームは、時間Ｔ3とＴ4との間に示されるように、セルＭｊにおいては割り当てられない可能性がある。
【００９４】
さらに、図９に示されるように、サブフレームは、どちらかのセルに動的に割り当てられ得る。この場合、６つのサブフレームがセルＭｊに動的に割り当てられた一方で、セルＰｋにはサブフレームが割り当てられなかった。動的割り当ては、特定のセルに関連する特定のトラヒック要件、セルの種類および／もしくは電力レベル、またはその他の関連するパラメータに基づくことができる。概して、動的割り当ては、図７のコア・ネットワーク７０８などのコア・ネットワークと連携して行われ得る。動的割り当ては、負荷、干渉のレベル、電力レベル、またはその他の動作パラメータに基づいて動作中に変わる可能性がある。
【００９５】
通常、準静的割り当ては、制限された数のサブフレームに対して行われ得る。例えば、１つの実装においては、各セルのごくわずかなサブフレームのみが、準静的に割り当てられ得る。さらに、図９に示されたセルＰｋなどの、比較的低いトラヒックを有する実装においては、割り当ては、ＤＬおよび／またはＵＬに対して単一の準静的サブフレームのみを含む可能性がある。
【００９６】
図１０は、この場合、（３：３：２）に等しい三つ組み（Ｌ，Ｎ，Ｋ）を有する別の例示的なサブフレーム分割割り当て１０００を示す。この例においては、示されるように、複数のサブフレームが、セルＭｊとセルＰｊとに割り当てられ得る。この場合、少なくとも１つの準静的割り当てが、他方のセルにおいて割り当てられた対応する未割り当てのサブフレームを有することになる。例えば、サブフレーム０（１０２２として示される）は、セルＭｊに準静的に割り当てられる可能性があり、セルＰｋにおいて対応する未割り当てのサブフレームがある。同様に、サブフレーム３（１０２４として示される）は、セルＭｋに準静的に割り当てられる可能性があり、セルＭｊにおいて対応する未割り当てのサブフレームがある。（例えば、Ｔ０とＴ１との間、およびＴ２とＴ３との間の）これらの時間間隔の間に、対応するセル内のＵＥは、本明細書において説明されるような測定を実行することができる。
【００９７】
図１１〜１５は、サブフレーム・インターレース割り当てのさらなる例１１００、１２００、１３００、１４００、および１５００と、関連する準静的なサブフレームと、動的に割り当てられるサブフレームとを示す。
【００９８】
図１１は、サブフレームがセルＭｊとＰｋの両方に動的に割り当てられ、（Ｌ，Ｎ，Ｋ）の値が（２：２：４）である例示的な割り当て１１００を示す。タイミング図１１１０は、マクロセルである可能性があるセルＭｊに関するダウンリンク・サブフレーム構成を示し、タイミング図１１２０は、対応するアップリンク構成を示す。同様に、タイミング図１１３０は、ピコセルである可能性があるセルＰｋに関するダウンリンク・サブフレーム構成を示し、一方、タイミング図１１４０は、対応するアップリンク構成を示す。
【００９９】
図１２は、サブフレームがセルＭｊとＰｋの両方に動的に割り当てられ、（Ｌ，Ｎ，Ｋの値が（２：２：４）である例示的な割り当て１２００を示す。タイミング図図１２１０は、マクロセルである可能性があるセルＭｊに関するダウンリンク・サブフレーム構成を示し、タイミング図１２２０は、対応するアップリンク構成を示す。同様に、タイミング図１２３０は、ピコセルである可能性があるセルＰｋに関するダウンリンク・サブフレーム構成を示し、一方、タイミング図１２４０は、対応するアップリンク構成を示す。図１４の例に示された割り当ては、例えば、２つのセルと関連する基地局との間の調整によって決定される可能性があり、この調整は、本明細書の他の場所で説明されるような、コアまたはバックホール・ネットワークとの調整をさらに含み得る。
【０１００】
図１３は、サブフレームがセルＭｊとＰｋの両方に動的に割り当てられ、（Ｌ，Ｎ，Ｋ）の値が（２：２：４）である例示的な割り当て１３００を示す。タイミング図１３１０は、マクロセルである可能性があるセルＭｊに関するダウンリンク・サブフレーム構成を示し、タイミング図１３２０は、対応するアップリンク構成を示す。同様に、タイミング図１３３０は、セルＰｋに関するダウンリンク・サブフレーム構成を示し、一方、タイミング図１３４０は、対応するアップリンク構成を示す。図１４の例に示された割り当ては、例えば、２つのセルと関連する基地局との間の調整によって決定される可能性があり、この調整は、本明細書の他の場所で説明されるような、コアまたはバックホール・ネットワークとの調整をさらに含み得る。
【０１０１】
図１４は、サブフレームが３つのセルＭｊと、Ｐｋと、Ｆｒとの間に動的に割り当てられる例示的な割り当て１４００を示す。タイミング図１４１０は、マクロセルである可能性があるセルＭｊに関するダウンリンク・サブフレーム構成を示し、タイミング図１４２０は、対応するアップリンク構成を示す。同様に、タイミング図１４３０は、ピコセルである可能性があるセルＰｋに関するダウンリンク・サブフレーム構成を示し、一方、タイミング図１４４０は、対応するアップリンク構成を示す。さらに、タイミング図１４５０は、フェムトセルである可能性があるセルＦｒに関するダウンリンク・サブフレーム構成を示し、タイミング図１４６０は、対応するアップリンク構成を示す。図１４の例に示された割り当ては、例えば、３つのセルと関連する基地局との間の調整によって決定される可能性があり、この調整は、本明細書の他の場所で説明されるような、コアまたはバックホール・ネットワークとの調整をさらに含み得る。
【０１０２】
図１５は、サブフレームが３つのセルＭｊと、Ｐｋと、Ｆｒとの間に動的に割り当てられる別の例示的な割り当て１５００を示す。タイミング図１５１０は、マクロセルである可能性があるセルＭｊに関するダウンリンク・サブフレーム構成を示し、タイミング図１５２０は、対応するアップリンク構成を示す。同様に、タイミング図１５３０は、ピコセルである可能性があるセルＰｋに関するダウンリンク・サブフレーム構成を示し、一方、タイミング図１５４０は、対応するアップリンク構成を示す。さらに、タイミング図１５５０は、フェムトセルである可能性があるセルＦｒに関するダウンリンク・サブフレーム構成を示し、タイミング図１５６０は、対応するアップリンク構成を示す。図１５の例に示された割り当ては、例えば、３つのセルと関連する基地局との間の調整によって決定される可能性があり、この調整は、本明細書の他の場所で説明されるような、コアまたはバックホール・ネットワークとの調整をさらに含み得る。
【０１０３】
サブフレーム構造に対する可能性のある影響  −  いくつかの実装において、サブフレーム・インターレースの使用は、ＰＳＳ／ＳＳＳと、ＰＢＣＨと、ＲＳと、ＳＩＢ１とを含む信号に関して送信形式の変更が必要とされないように行われ得る。ＰＳＳとＳＳＳとは、サブフレーム０と５とで送信される。ＰＢＣＨは、偶数無線フレームのサブフレーム５で送信される。ＳＩＢ−１は、偶数無線フレームのサブフレーム５で送信される。基準信号（例えば、ＣＲＳ）は、すべてのサブフレームで送信される可能性がある。ｅＮＢに（準静的または動的のいずれかで）割り当てられるサブフレーム・インターレースに対して、同じ考えが当てはまる。ｅＮＢに割り当てられないサブフレーム・インターレースに関しては、ＰＤＣＣＨと、ＰＨＩＣＨと、ＰＣＦＩＣＨとは送信されない可能性があり、（ＳＩＢ−１がスケジューリングされない場合）ＰＤＳＣＨはスケジューリングされない可能性がある。ＰＵＳＣＨはスケジューリングされない可能性があり、（従来のリリース８のＵＥが、ＣＱＩ／ＰＭＩとＲＩを送信するために割り当てられない場合）ＰＵＣＣＨは構成されない可能性がある。ＰＲＡＣＨとＳＲＳとは、構成されない可能性がある。
【０１０４】
いくつかの実装において、特定の割り当てが、例えば、重要な特定のチャネルを保護するように調整され得る。この例が、図１６に示されており、この例において、高電力セルである可能性があるマクロセルは、低電力セルである可能性があるピコセルの近くで動作している。図１６に示されているように、特定のリソースを保護することが重要である可能性がある。例えば、（サブフレーム５の）リソース１６１２が、マクロセルに割り当てられ得る。ＰＣＦＩＣＨ、ＰＤＣＣＨ、および／またはその他のリソースが半永続的にスケジューリングされる可能性があり、このスケジューリングはＳＩＢ−１を用いて行われ得る。これは、ＲＲＣ＿ＣｏｎｎｅｃｔｅｄモードにおいてのみＵＥに関する個別シグナリングを用いて包含され得る。加えて、物理ダウンリンク共有チャネル（ＰＤＳＣＨ）などのいくつかのリソース１６１２が、リソースの直交化および／または干渉除去などによって保護され得る。これは、ピコセルが、マクロセルからの干渉なしに、リソース図１６２０に示されるようにこれらのリソース１６２２を使用することを可能にすることができる。
【０１０５】
図１７は、リソース保護の別の例を示す。この例においては、特定のリソースが、マクロセルのために保護され得る。例えば、干渉は、ＳＩＢ−１および／または呼び出し送信からのものである可能性がある。サブフレームと呼び出しの時期とが、ピコセル（またはその他の比較的低電力のセル）に割り当てられる可能性がある。ＳＩＢ−１および／または呼び出しの干渉除去が、ＰＣＦＩＣＨ／ＰＤＣＣＨの干渉除去とともに使用され得る。例えば、ＳＩＢ−１および呼び出し送信からの、割り当てられたサブフレームに対する強い干渉が除去されることができない場合（例えば、それらの干渉が、制御チャネルの領域にのみある場合）、このインターフェース上での再送信（例えば、８ｍＳ前のサブフレーム）が、このサブフレームでの再送信のスケジューリングを要求する可能性がある。これを容易にするために、１７２２は、リソース図１７２０に示されているようにピコセルから除外され得る。これらは、ＰＤＳＣＨ内にある可能性がある。同様に、リソース１７１２は、リソース図１７１０に示されるようにマクロセルに割り当てられ得る。
【０１０６】
ＲＲＭに対する可能性のある影響−通常、準静的サブフレーム分割は、ＯＡ＆Ｍに基づく動作としてコアまたはバックホール・ネットワークで行われる。このアプローチは、物理レイヤ制御手順の目標性能を決定づける可能性がある。動的サブフレーム分割は、セルに関連するＵＥベアラのサービス品質（ＱｏＳ）測定基準に基づくことができる。これは、物理リソースブロック（ＰＲＢ）の利用と、ＵＥが送信および受信しているデータ量とを決定づける可能性がある。
【０１０７】
ダウンリンク無線リンク障害監視（ＲＬＭ）手順は、準静的に構成されたサブフレームに基づくことができる。ＵＥは準静的サブフレームを前もって知らされるので、ＵＥは、これらのサブフレームの間のチャネル特性についての予測を立てることができる。概して、ＵＥは、動的に割り当てられるサブフレームについては予測を立てることができない。
【０１０８】
アップリンクＲＬＭ手順の管理は、準静的サブフレームおよび／または動的に構成されたサブフレームに基づくことができる。
【０１０９】
Ｘ２制御（Ｘ２−Ｃ）シグナリングは、概して、準静的サブフレーム分割には必要とされないが、いくつかの実装においては使用される可能性がある。動的サブフレーム分割に関するシグナリングは、ｅＮＢ間のハンドシェイク手順を用いて行われ得る。これらは、異なるクラスに属する可能性がある、互いに干渉するｅＮＢである可能性がある。ハンドシェイク手順の例が、図１８〜２０にさらに示される。
【０１１０】
図１８は、３つのセルとｅＮＢなどの関連するノードとの間の完全に成功したリソース拡張要求に関する、Ｘ２制御（Ｘ２−Ｃ）シグナリングを用いた例示的なシグナルフロー１８００の詳細を示す。シグナリングは、例えば、図１８に示されているように、セル１８７２と、１８７４と、１８７６と、１８７８と、１８８０との中のワイヤレス・ネットワーク・ノード間で行われ得る。Ｐと表されたセルは、ピコセルである可能性があり、Ｍと表されたセルは、マクロセルである可能性がある。代替的に、その他のセルの種類および／または電力レベルが、同様にして通信することができる。リソース拡張要求１８１０が、セル１８７２からセル１８７４に送信され得る。代替的にまたは追加的に、別のリソース拡張要求１８２０が、セル１８７２からセル１８７６に送信され得る。セル１８７４および１８７６は、ピコセルまたはその他の比較的低電力のセルである可能性があるセル１８７２の近くで動作するマクロセルである可能性がある。応答タイミングは、要求１８１０と１８２０とに対応する、時間１８１５と１８２５とで初期化され得るリソース拡張タイマーによって管理されることができる。この場合、セル１８７４と１８７６とは、両方とも、タイムアウトの前に、受諾１８３０と１８４０とで示されているように完全にリソース拡張要求を受諾する可能性がある。さらに、セル１８７４および１８７６は、リソース要求と関連するリソース調整とに関して、セル１８７８などのその他のセルにシグナリングする可能性がある。例えば、セル１８７８と１８８０とは、セル１８７２と１８７４とに対してリソースが調整されたことを示すことができるリソース利用指示１８５０と１８６０とを与えられる可能性があり、その結果、それらのリソースが、セル１８７８と１８８０とによって、および／またはその他のシグナリングもしくは制御の目的で利用され得る。例えば、セル１８７４は、隣接するまたは近隣のセル１８７８にシグナリングする可能性があり、一方、セル１８７６は、隣接するまたは近隣のセル１８８０にシグナリングする可能性がある。リソース利用タイマー１８３５と１８４５とが、リソース拡張受諾１８３０と１８４０とで開始され得る。
【０１１１】
図１９は、例えば、リソースが完全にではなく部分的に拡張され得る、この場合は特定の成功したリソース要求に関する、Ｘ２制御（Ｘ２−Ｃ）シグナリングを用いた別の例示的なシグナルフロー１９００の詳細を示す。これは、例えば、３つのセルとｅＮＢなどの関連するノードとの間で行われ得る。シグナリングは、例えば、図１９に示されているように、セル１９７２と、１９７４と、１９７６と、１９７８と、１９８０との中のワイヤレス・ネットワーク・ノード間で行われ得る。Ｐと表されたセルは、ピコセルである可能性があり、Ｍと表されたセルは、マクロセルである可能性がある。代替的に、その他のセルの種類および／または電力レベルが、同様にして通信することができる。リソース拡張要求１９１０が、セル１９７２からセル１９７４に送信され得る。代替的にまたは追加的に、別のリソース拡張要求１９２０が、セル１９７２からセル１９７６に送信され得る。セル１９７４および１９７６は、ピコセルまたはその他の比較的低電力のセルである可能性があるセル１９７２の近くで動作するマクロセルである可能性がある。応答タイミングは、要求１９１０と１９２０とに対応する、時間１９１５と１９２５とで初期化され得るリソース拡張タイマーによって管理されることができる。この場合、セル１９７４は、（受諾１９３０によって）完全に要求を受諾する可能性があるが、セル１９７６は、部分的受諾および１９４０によって示されるように、部分的にのみリソース拡張要求を受諾する可能性がある。これは、セル１９７２などにおいてリソースの使用を制限するために使用され得る禁止タイマー１９４５を始動させる可能性がある。応答指示１９５０が、部分的な解放に関して提供される可能性があり、この応答指示１９５０は、例えば、完全な受諾、部分的な受諾、または受諾されなかったことを示す可能性がある。拡張要求に対する応答に基づいて、セル１９７６は、指示１９６０などを介して部分的な解放の受諾をシグナリングする可能性がある。この情報は、指示１９７０などを介してその他の隣接するまたは近隣のセルにさらに提供され得る。加えて、完全な拡張が、セル１９７４からセル１９８０にシグナリングされ得る（図１９には示されていない）。リソース利用タイマー１９３５と１９４５とが、リソース拡張受諾１９３０とリソース拡張部分受諾１９４０とで開始され得る。
【０１１２】
図２０は、３つのセルとｅＮＢなどの関連するノードとの間の部分的に失敗したリソース要求に関する、Ｘ２制御（Ｘ２−Ｃ）シグナリングを用いた例示的なシグナルフロー２０００の詳細を示す。シグナリングは、例えば、図２０に示されているように、セル２０７２と、２０７４と、２０７６と、２０７８と、２０８０との中のワイヤレス・ネットワーク・ノード間で行われ得る。Ｐと表されたセルは、ピコセルである可能性があり、Ｍと表されたセルは、マクロセルである可能性がある。代替的に、その他のセルの種類および／または電力レベルが、同様にして通信することができる。リソース拡張要求２０１０が、セル２０７２からセル２０７４に送信され得る。代替的にまたは追加的に、別のリソース拡張要求２０２０が、セル２０７２からセル２０７６に送信され得る。セル２０７４および２０７６は、ピコセルまたはその他の比較的低電力のセルである可能性があるセル２０７２の近くで動作するマクロセルである可能性がある。応答タイミングは、要求２０１０と２０２０とに対応する、時間２０１５と２０２５とで初期化され得るリソース拡張タイマーによって管理されることができる。この場合、セル２０７４は、受諾２０３０などを介して要求を受諾する可能性がある一方、セル２０７６は、要求を拒否する可能性がある。拒否は、拒否応答２０４０を介してセル２０７２にシグナリングされることができ、そのとき、拒否応答２０４０が、禁止タイマー２０４５を開始する可能性がある。リソース利用指示２０５０が、セル２０７２からセル２０７４に提供され得る。受諾は、セル２０７８および２０８０などのその他のセルにさらにシグナリングされ得る（図２０には示されていない）。リソース利用タイマー２０３５が、リソース拡張受諾２０３０で開始され得る。
【０１１３】
図２１は、サブフレーム割り当てを使用するワイヤレス通信を提供するための例示的なプロセスの実施形態２１００の詳細を示す。段階２１１０において、サブフレーム分割構成が、例えばコア・ネットワークから、例えばｅＮＢまたはＨｅＮＢである可能性がある基地局などで受信され得る。代替的にまたは追加的に、サブフレーム分割は、近隣のもしくは隣接するセル内の基地局などの別の基地局との通信で、および／またはコア・ネットワークと連携して、すべてまたは一部生成され得る。段階２１２０において、分割情報が、例えば、基地局のメモリに記憶され得る。段階２１３０において、例えば、分割構成に含まれる第１のダウンリンク（ＤＬ）リソース割り当てに合致し得る第１の信号が送信される可能性がある。段階２１４０において、例えば、分割構成に含まれる第２のダウンリンク（ＤＬ）リソース割り当てに合致し得る第２の信号が送信される可能性がある。第１のＤＬリソースと第２のＤＬリソースとは、異なる種類である可能性がある。例えば、第１のＤＬリソースは、準静的リソースである可能性があり、第２のＤＬリソースは、動的リソースである可能性がある。別の例においては、両方のリソースとも、同じ種類である可能性がある。
【０１１４】
第１のＤＬリソースは、例えば、第２の基地局に割り当てられる第２のＤＬリソースと直交している可能性がある。第１のＤＬリソースと第２のＤＬリソースとは、時分割多重化および／または周波数分割多重化され得る。サブフレーム分割構成は、例えば、少なくとも１つの未割り当てのリソースの割り当てをさらに含み得る。第１の基地局は、例えば、マクロセル基地局、フェムトセル基地局、またはピコセル基地局のうちの１つである可能性がある。
【０１１５】
方法は、例えば、サブフレーム・リソース割り当て構成を第２の基地局とネゴシエーションすることと、ネゴシエーションに基づいてサブフレーム・リソース割り当てを決定することとをさらに含み得る。サブフレーム・リソース割り当ては、例えば、メモリに記憶される可能性がある。種々の実施形態は、コンピュータ・プログラム製品、通信デバイス、装置、モジュール、またはその他の構成の形態である可能性がある。
【０１１６】
図２２は、サブフレーム割り当てを使用するワイヤレス通信を提供するための例示的なプロセスの実施形態２２００の詳細を示す。段階２２１０において、サブフレーム分割構成が、例えば、基地局である可能性があるネットワーク・ノードなどで受信され、記憶される可能性がある。割り当ては、例えば、コア・ネットワークから提供され得る。代替的にまたは追加的に、サブフレーム分割構成は、分割構成の決定を容易にするために別の基地局および／またはコア・ネットワークと通信している可能性がある基地局において、すべてまたは一部決定され得る。基地局は、例えば、ｅＮＢまたはＨｅＮＢである可能性がある。サブフレーム分割構成は、１つもしくは複数の準静的な構成されたリソースおよび／または１つもしくは複数の動的な構成されたリソースを含み得る。例示的な実施形態において、構成は、少なくとも第１の準静的リソースを含み得る。段階２２２０において、リソース割り当てに合致する信号が、ＵＥなどに送信され得る。例えば、準静的リソース割り当てに合致する信号が送信され得る。段階２２３０において、信号測定基準が、ネットワーク・ノード、例えばＵＥから受信され得る。段階２２４０において、通信システムのリソースが割り当てられる可能性があり、この割り当ては、例えば、受信された信号測定基準に合致して行われ得る。
【０１１７】
第１の準静的ＤＬリソースは、例えば、第２の基地局に割り当てられる第２の準静的ＤＬリソースと直交している可能性がある。信号測定基準は、例えば、ＲＬＭ測定基準である可能性があり、ＲＬＭ測定基準は、準静的サブフレームの間に決定され得る。準静的サブフレームは、送信に先立ってＵＥにシグナリングされ得る。方法は、例えば、信号測定基準に少なくとも部分的に基づいて通信リソースを割り当てることをさらに含み得る。基地局間の通信接続は、例えば、Ｘ２接続などのワイヤレス接続である可能性がある。代替的にまたは追加的に、通信接続は、１つまたは複数のコア・ネットワークおよび／またはＯＡ＆Ｍ機能モジュールへのバックホール接続である可能性がある。バックホール接続が使用される場合、通信接続は、例えば、Ｓ１接続を含み得る。第１の基地局および／または第２の基地局は、コア・ネットワークと通信している可能性がある。決定は、例えば、コア・ネットワークと連携して行われる可能性がある。代替として、構成を決定することは、コア・ネットワークとは独立して実行される可能性があり、コア・ネットワークは、第１の基地局および／または第２の基地局と関連している可能性がある。種々の実施形態は、コンピュータ・プログラム製品、通信デバイス、装置、モジュール、またはその他の構成の形態である可能性がある。
【０１１８】
図２３は、サブフレーム割り当てを使用するワイヤレス通信を提供するための例示的なプロセスの実施形態２３００の詳細を示す。段階２３１０において、サブフレーム・リソースの割り当て要求が、例えば、ｅＮＢまたはＨｅＮＢである可能性がある基地局などの第１のネットワーク・ノードから受信され得る。要求は、基地局と、サービスを提供されるＵＥと、隣接するセルのＵＥとの間、および／または隣接セル内などの基地局の間の通信に基づいて生成され得る。段階２３２０において、サブフレーム・リソースが、要求に基づいて割り当てられ得る。割り当ては、例えば、基地局と、隣接するまたは近隣のセルに関連する可能性がある別の隣接する基地局との間の割り当てである可能性がある。段階２３３０において、割り当て構成が、生成され、第１の基地局に提供され得る。割り当ては、近隣のまたは隣接するセル内の基地局などの１つまたは複数のさらなる基地局にも提供され得る。段階２３４０において、リソース割り当て構成に合致するシグナリングが、基地局のうちの１つまたは複数から送信され得る。信号は、例えば、通信システムの構成のための信号測定基準を決定するために、および／または本明細書の他の場所で説明された目的などのその他の目的で使用され得る。
【０１１９】
サブフレーム・リソース構成は、例えば、準静的サブフレーム・リソース割り当ておよび／または動的サブフレーム・リソース割り当てを含み得る。代替的にまたは追加的に、サブフレーム・リソース構成は、未割り当てのリソースの割り当てを含み得る。サブフレーム・リソース構成は、例えば、第１のワイヤレス・ネットワーク・ノードに割り当てられる第１の準静的リソース割り当てと、第２のワイヤレス・ネットワーク・ノードに割り当てられる第２の準静的リソース割り当てとを含み得る。第１の準静的リソース割り当てと第２の準静的リソース割り当てとは、直交するように構成され得る。種々の実施形態は、コンピュータ・プログラム製品、通信デバイス、装置、モジュール、またはその他の構成の形態である可能性がある。
【０１２０】
図２４は、サブフレーム割り当てを使用するワイヤレス通信を提供するための例示的なプロセスの実施形態２４００の詳細を示す。段階２４１０において、端末またはＵＥなどの通信デバイスは、例えば、ｅＮＢ、ＨｅＮＢ、またはその他の基地局である可能性がある第１の基地局などからサブフレーム・リソース割り当てを受信することができる。段階２４２０において、第１の信号が、例えば、準静的リソース割り当てである可能性があるリソース割り当てに合致するサブフレームまたはサブフレームの一部の間に別の基地局から受信され得る。段階２４３０において、信号測定基準が、第一の信号に基づいて決定され得る。段階２４４０において、信号測定基準が、第１の基地局に送信される可能性があり、第１の基地局において、信号測定基準は、さらに使用される通信システムの構成またはその他の処理である可能性がある。
【０１２１】
受信された情報は、例えば、準静的または動的割り当てである可能性がある所定のサブフレーム・リソース割り当てに関連する可能性がある。信号測定基準は、例えば、無線リンク監視（ＲＬＭ）測定基準である可能性がある。受信された情報は、例えば、無線リソース管理（ＲＲＭ）制御情報を含み得る。情報は、チャネルフィードバック情報および／またはチャネル品質インジケーション（ＣＱＩ）情報も含み得る。第１の基地局は、第１のセルに関連する可能性があり、第１の信号は、第２のセルに関連するｅＮＢ、ＨｅＮＢ、またはその他の基地局である可能性がある基地局などのノードから送信され得る。第１のセルは、例えば、マクロセルである可能性があり、第２のセルは、ピコセルまたはフェムトセルである可能性がある。代替として、第１のセルが、ピコセルまたはフェムトセルであってもよく、第２のセルが、マクロセルであってもよい。代替として、第１のセルおよび第２のセルが、マクロセルであってもよいか、または、第１のセルおよび第２のセルが、ピコセルもしくはフェムトセルであってもよい。第１の信号は、例えば、基準信号である可能性がある。基準信号は、共通基準信号（ＣＲＳ）および／またはチャネル状態情報基準信号（ＣＳＩ−ＲＳ）である可能性がある。種々の実施形態は、コンピュータ・プログラム製品、通信デバイス、装置、モジュール、またはその他の構成の形態である可能性がある。
【０１２２】
図２５は、例示的なＬＴＥ通信システム２５００の基地局２５１０（すなわち、ｅＮＢまたはＨｅＮＢ）と端末２５５０（すなわち、端末、ＡＴ、またはＵＥ）との実施形態の構成図を示す。これらのシステムは、図１〜４に示されたシステムに対応することができ、図１８〜２４で本明細書に既に示されたプロセスを実施するように構成され得る。
【０１２３】
サブフレーム分割割り当ておよび構成の決定、準静的サブフレームおよび／または動的に割り当てられたサブフレームの間に送信を行うための出力送信制御、ならびに本明細書で既に説明されたその他の機能などのさまざまな機能が、基地局２５１０に示されたプロセッサとメモリとで（および／または図示されていないその他のコンポーネントで）実行され得る。ＵＥ２５５０は、基地局２５１０から信号を受信して、ＵＥに知らされた準静的サブフレームなどの間にチャネル性能推定値などのチャネル特性を決定し、受信されたデータを復調し、空間情報を生成し、電力レベル情報および／または基地局２５１０もしくはその他の基地局（図示せず）に関連するその他の情報を決定する１つまたは複数のモジュールを含み得る。
【０１２４】
一実施形態において、基地局２５１０は、本明細書で既に説明されたように、ＵＥ２５５０から、または別の基地局もしくはコア・ネットワーク（図２５には示されていない）からのバックホール・シグナリングから受信された情報に応じて出力送信を調整することができる。この調整は、プロセッサ２５１４、２５３０、およびメモリ２５３２などの、基地局２５１０の１つまたは複数のコンポーネント（または図示されていないその他のコンポーネント）で行われ得る。基地局２５１０は、送信モジュール２５２４などの、ｅＮＢ２５１０の１つまたは複数のコンポーネント（または図示されていないその他のコンポーネント）を含む送信モジュールも含み得る。基地局２５１０は、干渉除去機能を提供するための、プロセッサ２５３０、２５４２、復調器モジュール２５４０、およびメモリ２５３２などの１つまたは複数のコンポーネント（または図示されていないその他のコンポーネント）を含む干渉除去モジュールを含み得る。基地局２５１０は、本明細書で既に説明されたサブフレーム分割機能を実行し、および／またはサブフレーム分割情報に基づいて送信モジュールを管理するための、プロセッサ２５３０、２５１４、およびメモリ２５３２などの１つまたは複数のコンポーネント（または図示されていないその他のコンポーネント）を含むサブフレーム分割調整モジュールを含み得る。基地局２５１０は、受信機機能を制御するための制御モジュールも含み得る。基地局２５１０は、コア・ネットワークのバックホールシステムまたは図２と３とに示されたその他のコンポーネントなどのその他のシステムとネットワークを形成するためのネットワーク接続モジュール２５９０を含み得る。
【０１２５】
同様に、ＵＥ２５５０は、受信機２５５４などの、ＵＥ２５５０の１つまたは複数のコンポーネント（または図示されていないその他のコンポーネント）を含む受信モジュールを含み得る。ＵＥ２５５０は、プロセッサ２５６０および２５７０、ならびにメモリ２５７２などの、ＵＥ２５５０の１つまたは複数のコンポーネント（または図示されていないその他のコンポーネント）を含む信号情報モジュールも含み得る。一実施形態において、ＵＥ２５５０で受信された１つまたは複数の信号が、チャネル特性、電力情報、空間情報、ならびに／または基地局２５１０および／もしくはその他の基地局（図示せず）などのｅＮＢに関するその他の情報を推定するために処理される。測定は、基地局２５１０によってＵＥ２５５０に知らされる準静的サブフレームの間に実行され得る。メモリ２５３２と２５７２とは、チャネル測定およびチャネル情報と、電力レベルおよび／または空間情報の決定と、セルＩＤ選択と、セル間調整と、干渉除去制御と、本明細書において説明されているサブフレーム割り当て、インターレース、ならびに関連する送信および受信に関連するその他の機能とに関連するプロセスを実施する、プロセッサ２５６０、２５７０、および２５３８などの１つまたは複数のプロセッサで実行するためのコンピュータコードを記憶するために使用され得る。
【０１２６】
動作中、基地局２５１０において、いくつかのデータ・ストリームに関するトラヒックデータが、データソース２５１２から送信（ＴＸ）データプロセッサ２５１４に提供される可能性があり、送信（ＴＸ）データプロセッサ２５１４において、当該トラヒックデータが、処理され、１つまたは複数のＵＥ２５５０に送信され得る。送信されるデータは、インターレースされたサブフレーム送信を行い、および／または１つもしくは複数のＵＥ２５５０において関連する信号測定を実行するために、本明細書で既に説明されたように制御され得る。
【０１２７】
一態様において、各データ・ストリームは、基地局２５１０のそれぞれの送信機サブシステム（送信機２５２４1〜２５２４Ntとして示される）を介して処理され、送信される。ＴＸデータプロセッサ２５１４は、符号化されたデータを提供するために、そのデータ・ストリームに対して選択された特定の符号化方式に基づいて、各データ・ストリームに関するトラヒックデータを受信し、フォーマットし、符号化し、インターリーブする。特に、基地局２５１０は、特定の基準信号と基準信号パターンとを決定し、選択されたパターンで基準信号および／またはビーム・フォーミング情報を含む送信信号を提供するように構成され得る。
【０１２８】
各データ・ストリームに関する符号化されたデータは、ＯＦＤＭ技術を用いて、パイロットデータと多重化され得る。通常、パイロットデータは、知られている方法で処理される知られているデータパターンであり、チャネル応答を推定するために受信機システムにおいて使用され得る。例えば、パイロットデータは、基準信号を含み得る。パイロットデータは、図２５に示されているＴＸデータプロセッサ２５１４に提供され、符号化されたデータと多重化され得る。次に、多重化されたパイロットと各データ・ストリームに関する符号化されたデータとは、変調シンボルを提供するために、そのデータ・ストリームに対して選択された特定の変調方式（例えば、ＢＰＳＫ、ＱＳＰＫ、Ｍ−ＰＳＫ、Ｍ−ＱＡＭなど）に基づいて変調される（すなわち、シンボルマッピングされる）可能性があり、データとパイロットとは、異なる変調方式を用いて変調される可能性がある。各データ・ストリームに関するデータ転送速度と、符号化と、変調とは、メモリ２５３２、またはＵＥ２５５０のその他のメモリもしくは命令ストレージ媒体（図示せず）に記憶された命令に基づいてプロセッサ２５３０によって実行される命令によって決定され得る。
【０１２９】
次に、すべてのデータ・ストリームに関する変調シンボルが、ＴＸ  ＭＩＭＯプロセッサ２５２０に提供される可能性があり、ＴＸ  ＭＩＭＯプロセッサ２５２０は、（例えば、ＯＦＤＭの実施のために）変調シンボルをさらに処理することができる。次いで、ＴＸ  ＭＩＭＯプロセッサ２５２０は、Ｎｔ個の変調シンボル・ストリームをＮt個の送信機（ＴＭＴＲ）２５２２1〜２５２２Ntに提供することができる。種々のシンボルが、送信のために関連するＲＢにマッピングされ得る。
【０１３０】
ＴＸ  ＭＩＭＯプロセッサ２５３０は、データ・ストリームのシンボルに、シンボルが送信されている１つまたは複数のアンテナに対応するビーム・フォーミングの重みを適用することができる。これは、基準信号によって、もしくは基準信号と併せて提供されるチャネル推定情報、および／またはＵＥなどのネットワーク・ノードから提供される空間情報などの情報を使用することによって行われ得る。例えば、ビームＢ＝各送信アンテナに対応する重みの組からなるｔｒａｎｓｐｏｓｅ（［ｂ１  ｂ２．．ｂNt］）である。ビームに沿って送信することは、そのアンテナに関するビームの重みによってスケーリングされた変調シンボルｘをすべてのアンテナに沿って送信することに対応する、すなわち、アンテナｔ上の送信シンボルはｂｔ＊ｘである。複数のビームが送信されるとき、１つのアンテナ上の送信信号は、異なるビームに対応する信号の合計である。これは、数学的には、Ｎs個のビームが送信され、ｘｉが、ビームＢｉを使用して送信される変調シンボルであるものとして、Ｂ１ｘ１＋Ｂ２ｘ２＋ＢＮsｘＮsと表され得る。さまざまな実装において、ビームは、いくつかの方法で選択され得る。例えば、ビームは、ＵＥからのチャネルフィードバック、ｅＮＢにおいて利用可能なチャネルの知識に基づいて、または隣接するマクロセルなどとの干渉抑圧を容易にするためにＵＥから提供される情報に基づいて選択され得る。
【０１３１】
各送信機サブシステム２５２２1〜２５２２Ntは、それぞれのシンボル・ストリームを受信し、それを処理して１つまたは複数のアナログ信号を提供し、アナログ信号をさらに調整（例えば、増幅、フィルタリング、およびアップコンバート）してＭＩＭＯチャネルを介した送信に好適な変調信号を提供する。次に、送信機２５２２1〜２５２２NtからのＮt個の変調信号が、Ｎt個のアンテナ２５２４1〜２５２４Ntからそれぞれ送信される。
【０１３２】
ＵＥ２５５０において、送信された変調シンボルが、Ｎr個のアンテナ２５５２1〜２５５２Nrによって受信され、各アンテナ２５５２からの受信信号が、それぞれの受信機（ＲＣＶＲ）２５５４1〜２５５２Nrに与えられる。各受信機２５５４は、それぞれの受信信号を調整（例えば、フィルタリング、増幅、およびダウンコンバート）し、調整された信号をデジタル化してサンプルを提供し、サンプルをさらに処理して対応する「受信」シンボル・ストリームを提供する。
【０１３３】
次に、ＲＸデータプロセッサ２５６０は、Ｎr個の受信機２５５４1〜２５５２NrからＮr個の受信シンボル・ストリームを受信し、それらのＮr個の受信シンボル・ストリームを、Ｎs個の送信シンボル・ストリームの推定値を提供するためにＮs個の「検出」シンボル・ストリームを提供するために、特定の受信機処理技術に基づいて処理する。次いで、ＲＸデータプロセッサ２５６０は、各検出シンボル・ストリームを復調し、デインタリーブし、復号して、データ・ストリームに関するトラヒックデータを復元する。通常、ＲＸデータプロセッサ２５６０による処理は、基地局２５１０のＴＸ  ＭＩＭＯプロセッサ２５２０とＴＸデータプロセッサ２５１４とによって実行される処理と相補的である。
【０１３４】
プロセッサ２５７０は、以下でさらに説明されるように使用するためのプリコーディング行列を周期的に決定することができる。次に、プロセッサ２５７０は、行列のインデックスの部分と階数値の部分とを含み得る逆方向リンク・メッセージを編成することができる。さまざまな態様において、逆方向リンク・メッセージは、通信リンクおよび／または受信データ・ストリームに関するさまざまな種類の情報を含み得る。次いで、逆方向リンク・メッセージは、ＴＸデータプロセッサ２５３８によって処理されることができ、ＴＸデータプロセッサ２５３８は、データソース２５３６からのいくつかのデータ・ストリームに関するトラヒックデータも受信する可能性があり、そして、それらは、変調器２５８０によって変調され、送信機２５５４1〜２５５４Nrによって調整され、基地局２５１０に送り返されることができる。基地局２５１０に送り返された情報は、基地局２５１０からの干渉を抑圧するビーム・フォーミングを行うための電力レベルおよび／または空間情報を含み得る。
【０１３５】
基地局２５１０において、ＵＥ２５５０からの変調信号は、アンテナ２５２４によって受信され、受信機２５２２によって調整され、復調器２５４０によって復調され、ＵＥ２５５０によって送信されたメッセージを抽出するためにＲＸデータプロセッサ２５４２によって処理される。次に、プロセッサ２５３０は、ビーム・フォーミングの重みを決定するためにどのプリコーディング行列を使用すべきかを決定し、そして、抽出されたメッセージを処理する。
【０１３６】
いくつかの構成において、ワイヤレス通信のための装置は、本明細書において説明されたさまざまな機能を実行するための手段を含む。一態様において、上述の手段は、図２５に示されたような実施形態が存在し、上述の手段によって列挙される機能を実行するように構成されている１つのプロセッサまたは複数のプロセッサと、関連するメモリとである可能性がある。手段は、例えば、本明細書において説明されたサブフレーム分割に関連する機能を実行するための、図１〜４と６〜８とに示されているような、ＵＥ、ｅＮＢ、またはその他のネットワーク・ノードに存在するモジュールまたは装置である可能性がある。別の態様において、上述の手段は、上述の手段によって列挙される機能を実行するように構成されたモジュールまたは任意の装置である可能性がある。
【０１３７】
１つまたは複数の例示的な実施形態において、説明された機能と、方法と、プロセスとは、ハードウェア、ソフトウェア、ファームウェア、またはそれらの任意の組み合わせで実装され得る。ソフトウェアで実装される場合、機能は、コンピュータ可読媒体上の１つもしくは複数の命令もしくはコードに記憶されるか、またはそれらの命令もしくはコードとしてコード化され得る。コンピュータ可読媒体は、コンピュータストレージ媒体を含む。ストレージ媒体は、コンピュータによってアクセスされ得る任意の利用可能な媒体である可能性がある。限定ではなく例として、そのようなコンピュータ可読媒体は、ＲＡＭ、ＲＯＭ、ＥＥＰＲＯＭ、ＣＤ−ＲＯＭもしくはその他の光ディスクストレージ、磁気ディスクストレージもしくはその他の磁気ストレージデバイス、または命令もしくはデータ構造の形態で所望のプログラムコードを搬送もしくは記憶するために使用されることができ、コンピュータによってアクセスされ得る任意のその他の媒体を含む可能性がある。本明細書で使用されるディスク（disk）およびディスク（disc）は、コンパクトディスク（compact disc）（ＣＤ）と、レーザディスク（laser disc）と、光ディスク（optical disc）と、デジタル・バーサタイル・ディスク（digital versatile disc）（ＤＶＤ）と、フロッピー（登録商標）ディスク（floppy（登録商標） disk）と、ブルーレイ（登録商標）ディスク（blu-ray disc）とを含み、ディスク（disk）が、通常、磁気的にデータを再生する一方、ディスク（disc）は、レーザを用いて光学的にデータを再生する。上記の媒体の組み合わせも、コンピュータ可読媒体の範囲に含まれるべきである。
【０１３８】
開示されたプロセスおよび方法のステップまたは段階の特定の順序または階層は、例示的なアプローチの例であることが理解される。設計上の選択に基づいて、プロセスのステップの特定の順序または階層は、本開示の範囲内に留まったまま再配列され得ることが理解される。添付の方法クレームは、さまざまなステップの要素を実例の順番で示し、示された特定の順序または階層に限定されるように意図されていない。
【０１３９】
当業者は、情報と信号とが、さまざまな異なるテクノロジーおよび技術のうちのいずれかを使用して表され得ることを理解するであろう。例えば、上の説明中に記載され得るデータと、命令と、コマンドと、情報と、信号と、ビットと、シンボルと、チップとは、電圧、電流、電磁波、磁界もしくは磁気的粒子、光場もしくは光学的粒子、またはそれらの任意の組み合わせで表される可能性がある。
【０１４０】
さらに、当業者は、本明細書において開示された実施形態に関連して説明された種々の例示的な論理ブロックと、モジュールと、回路と、アルゴリズムのステップとが、電子的なハードウェア、コンピュータソフトウェア、またはそれら両方の組み合わせとして実装され得ることを理解するであろう。ハードウェアとソフトウェアとのこの互換性を明確に示すために、種々の例示的なコンポーネントと、ブロックと、モジュールと、回路と、ステップとが、概してそれらの機能の観点上で説明された。そのような機能がハードウェアとして実装されるか、それともソフトウェアとして実装されるかは、システム全体に課された特定の用途と設計の制約とによって決まる。当業者は、説明された機能をそれぞれの特定の用途のためにさまざまなやり方で実装することができるが、そのような実装の判断は本開示の範囲からの逸脱をもたらすものと解釈されてはならない。
【０１４１】
本明細書において開示された実施形態に関連して説明されたさまざまな例示的な論理ブロックと、モジュールと、回路とは、汎用プロセッサ、デジタル信号プロセッサ（ＤＳＰ）、特定用途向け集積回路（ＡＳＩＣ）、フィールド・プログラマブル・ゲートアレイ（ＦＰＧＡ）もしくはその他のプログラマブル・ロジック・デバイス、離散的なゲートもしくはトランジスタ論理、離散的なハードウェアコンポーネント、または本明細書において説明された機能を実行するように設計されたそれらの任意の組み合わせを用いて実装または実行され得る。汎用プロセッサはマイクロプロセッサであってよいが、別法として、プロセッサは、任意の従来のプロセッサ、コントローラ、マイクロコントローラ、または状態機械であってよい。プロセッサは、コンピューティング・デバイスの組み合わせ、例えばＤＳＰとマイクロプロセッサとの組み合わせ、複数のマイクロプロセッサ、ＤＳＰコアと連携する１つもしくは複数のマイクロプロセッサ、または任意のその他のそのような構成としても実装され得る。
【０１４２】
本明細書において開示された実施形態と関連して説明された方法、プロセス、またはアルゴリズムのステップまたは段階は、直接ハードウェアで、プロセッサによって実行されるソフトウェア・モジュールで、またはこれら２つの組み合わせで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意のその他の形態のストレージ媒体に存在し得る。例示的なストレージ媒体は、プロセッサが当該ストレージ媒体から情報を読むことができ、当該ストレージ媒体に情報を書き込むことができるようにプロセッサに結合される。別法として、ストレージ媒体はプロセッサに一体化されている可能性がある。プロセッサおよびストレージ媒体は、ＡＳＩＣ内に存在する可能性がある。ＡＳＩＣは、ユーザ端末内に存在する可能性がある。別法として、プロセッサおよびストレージ媒体は、ユーザ端末内の別個のコンポーネントとして存在する可能性がある。
【０１４３】
特許請求の範囲は本明細書において示された態様に限定されるように意図されておらず、単数形の要素に関する言及が、具体的にそのように述べられない限り「唯一の」を意味するように意図されておらず、むしろ「１つまたは複数の」を意味するように意図される特許請求の範囲の言葉に合致する完全な範囲が与えられるべきである。別途具体的に述べられない限り、用語「いくつかの」は、「１つまたは複数の」を指す。項目のリスト「のうちの少なくとも１つ」に言及する語句は、単数の構成要素を含め、それらの項目の任意の組み合わせを指す。例として、「ａ、ｂ、またはｃのうちの少なくとも１つ」は、ａと、ｂと、ｃと、ａおよびｂと、ａおよびｃと、ｂおよびｃと、ａ、ｂ、およびｃとを包含するように意図される。
【０１４４】
開示された態様の上記の説明は、当業者が本開示を作製または使用することを可能にするために提供される。これらの態様に対する種々の修正は、当業者には容易に明らかとなり、本明細書で定義された包括的な原理は、本開示の精神または範囲を逸脱することなくその他の態様に適用可能され得る。したがって、本開示は、本明細書において説明された態様に限定されるように意図されておらず、本明細書において開示された原理と新規性のある特徴とに合致する最も広い範囲を与えられるべきである。添付の特許請求の範囲およびそれらの均等物が本開示の範囲を定義することが意図される。
【図１】
0006017308.tif 000003
【図２】
0006017308.tif 000004
【図３】
0006017308.tif 000005
【図４Ａ】
0006017308.tif 000006
【図４Ｂ】
0006017308.tif 000007
【図５】
0006017308.tif 000008
【図６】
0006017308.tif 000009
【図７】
0006017308.tif 000010
【図８】
0006017308.tif 000011
【図９】
0006017308.tif 000012
【図１０】
0006017308.tif 000013
【図１１】
0006017308.tif 000014
【図１２】
0006017308.tif 000015
【図１３】
0006017308.tif 000016
【図１４】
0006017308.tif 000017
【図１５】
0006017308.tif 000018
【図１６】
0006017308.tif 000019
【図１７】
0006017308.tif 000020
【図１８】
0006017308.tif 000021
【図１９】
0006017308.tif 000022
【図２０】
0006017308.tif 000023
【図２１】
0006017308.tif 000024
【図２２】
0006017308.tif 000025
【図２３】
0006017308.tif 000026
【図２４】
0006017308.tif 000027
【図２５】
0006017308.tif 000028